(57)【要約】複数のパラメーター（ＡＴＰ、ＡＤＰ、アルカリホスファターゼを含む反応サンプルからの発光を含む）、または他のパラメーター（例えば、ｐＨ、温度、伝導率、酸化還元電位、溶存気体、特定のイオンおよび微生物数）を測定することによって、生成物、成分、環境またはプロセスのサンプルの品質を評価するための方法および装置。この装置は、サンプルを収集し、試薬を混合し、サンプルを反応させ、そして測定チャンバにそれを収集するために使用される一体型のサンプル試験デバイスを備える。この装置はまた、サンプル試験デバイスとともに使用するための光子検出アセンブリを有する機器を備える。この機器はまた、データ収集、転送および分析を容易にするための１つ以上の検出プローブおよび通信ポートを備える。本方法はさらに、データを記憶し、データを評価し、データをグラフ化し、そして構築された基準に対する一致を決定するための機構を含む。
2005524070.tif 000002
【特許請求の範囲】
【請求項１】
生成物、成分、環境またはプロセスから採取されたサンプルを測定するのに使用するための機器であって、該機器が、以下：
光子検出器および暗所チャンバを備える光子検出アセンブリ；および
該光子検出アセンブリの該光子検出器以外のさらなる測定デバイスからのシグナルを受信し得る通信ポート、
を備える、機器。
【請求項２】
請求項１に記載の機器であって、前記さらなる測定デバイスが、ＡＴＰレベル、ＡＤＰレベル、ＡＰレベル、アルカリホスファターゼレベル、ｐＨ、温度、溶存気体、伝導率、酸化還元電位、微生物数、および特定のイオンのうちの少なくとも１つを測定し得る、機器。
【請求項３】
請求項１に記載の機器であって、前記光子検出器が、光子計数器である、機器。
【請求項４】
請求項３に記載の機器であって、前記光子計数器が、光電子増倍管または光ダイオードを含む、機器。
【請求項５】
請求項３に記載の機器であって、前記さらなる測定デバイスが、外部プローブであり、該外部プローブが、該機器に固定され得るか、または該機器から取り外し可能であり得る、機器。
【請求項６】
請求項５に記載の機器であって、前記外部プローブが、他の外部プローブと相互交換可能である、機器。
【請求項７】
請求項５に記載の機器であって、前記外部プローブが、異なるパラメーターを測定し得る、機器。
【請求項８】
請求項５に記載の機器であって、前記外部プローブが、前記光子検出器とは異なる単一のパラメーターを測定し得る、機器。
【請求項９】
請求項７に記載の機器であって、前記外部プローブが、同時に、異なるパラメーターを測定し得る、機器。
【請求項１０】
請求項７に記載の機器であって、前記異なるパラメーターが、温度、ｐＨ、溶存気体、伝導率、酸化還元電位、および特定のイオンのうちの少なくとも１つを含む、機器。
【請求項１１】
測定機器であって、以下：
光増倍管または光ダイオード；
該光増倍管または光ダイオードを使用して分析される発光サンプルを保持するための読み取りチャンバ；および
通信ポートであって、該通信ポートによって、該機器がさらなる測定デバイスからのシグナルを受信し得、該測定デバイスが、光子数以外のパラメーターを測定し得る、通信ポート、
を備える、モニタリング機器。
【請求項１２】
請求項１１に記載の機器であって、前記測定デバイスが、外部プローブを含む、機器。
【請求項１３】
請求項１２に記載の機器であって、前記外部プローブが、温度、ｐＨ、溶存気体、伝導率、酸化還元電位、および特定のイオンのうちの少なくとも１つを測定し得る、機器。
【請求項１４】
請求項１２に記載の機器であって、前記外部プローブが、複数の異なるパラメーターを測定し得る、機器。
【請求項１５】
請求項１２に記載の機器であって、前記外部プローブが、単一の異なるパラメーターを測定し得る、機器。
【請求項１６】
請求項１４に記載の機器であって、前記複数の異なるパラメーターのうちの少なくとも１つが、温度、ｐＨ、溶存気体、伝導率、酸化還元電位、または特定のイオンを含む、機器。
【請求項１７】
請求項１１に記載の機器であって、前記通信ポートが、複数の相互交換可能な測定デバイスのいずれかからのシグナルを受信し得る、機器。
【請求項１８】
請求項１７に記載の機器であって、前記複数の相互交換可能な測定デバイスが、異なるパラメーターを測定するためのデバイスを含む、機器。
【請求項１９】
請求項１７に記載の機器であって、前記複数の相互交換可能な測定デバイスが、外部プローブを備え、該外部プローブが、該機器に固定され得るか、または該機器から取り外し可能であり得る、機器。
【請求項２０】
請求項１７に記載の機器であって、前記複数の相互交換可能な測定デバイスが、複数の外部プローブを備え、該外部プローブのうちの少なくとも２つが、異なるパラメーターを測定し得る、機器。
【請求項２１】
請求項２０に記載の機器であって、前記外部プローブのうちの少なくとも１つが、温度、ｐＨ、溶存気体、伝導率、酸化還元電位、または特定のイオンを測定し得る、機器。
【請求項２２】
請求項１１に記載の機器であって、該機器が、複数の通信ポートを備え、各々が、別々の測定デバイスからのシグナルを受信し得る、機器。
【請求項２３】
請求項２２に記載の機器であって、前記通信ポートのうちの少なくとも１つが、汎用コンピューターと連絡し得る、機器。
【請求項２４】
請求項２３に記載の機器であって、前記通信ポートのうちの少なくとも１つが、データロガーと連絡し得る、機器。
【請求項２５】
請求項２３に記載の機器であって、前記通信ポートのうちの少なくとも１つが、外部メモリシステムと連絡し得る、機器。
【請求項２６】
請求項２２に記載の機器であって、前記別々の測定デバイスのうちの少なくとも２つが、異なるパラメーターを測定する、機器。
【請求項２７】
請求項２６に記載の機器であって、前記別々の測定デバイスのうちの少なくとも１つが、外部プローブである、機器。
【請求項２８】
請求項２７に記載の機器であって、前記外部プローブが、温度、ｐＨ、溶存気体、伝導率、酸化還元電位、または特定のイオンを測定し得る、機器。
【請求項２９】
サンプルからの発光を検出するための機器であって、該機器が、以下：
光子検出器；
該光子検出器を使用して分析されるサンプルを受容するためのチャンバであって、該チャンバが、該光子検出器と近接し、そして該チャンバに回転可能に取り付けられたシャッター部材を備え、該シャッター部材が、開閉されるように選択的に位置付け可能であり、ここで、該シャッター部材が、開いている場合、該光子検出器が、該チャンバ内でサンプルからの光に曝露され得、そして該シャッター部材が、閉じている場合、該光子検出器が、該チャンバ内の光または該チャンバに入る外部光から遮断される、チャンバ；および
該サンプルを位置付けるための保持部材であって、該保持部材の動きが該シャッター部材を回転させ得るように、該保持部材が構成される、保持部材、
を備える、機器。
【請求項３０】
請求項２９に記載の機器であって、測定デバイスを該機器に接続するための通信ポートをさらに備え、該測定デバイスが、前記光子検出器によって供給されるパラメーターに加えて、パラメーターを測定し得る、機器。
【請求項３１】
請求項２９に記載の機器であって、前記チャンバのためのカバーをさらに備え、該カバーが、前記シャッター部材が開くように、閉位置でなければならず、そして該カバーが、該シャッター部材が閉じた場合に、開位置または閉位置の間で選択的に位置付け可能であり得るように、該機器が構成される、機器。
【請求項３２】
請求項３１に記載の機器であって、移動可能なシャフトをさらに備え、該移動可能なシャフトが、前記シャッター部材に連結され、その結果、前記カバーが閉じた場合、該移動可能なシャフトの変位が、該シャッター部材を開閉し得る、機器。
【請求項３３】
請求項３１に記載の機器であって、スライド可能なシャフトをさらに備え、該スライド可能なシャフトが、上位置と下位置との間で変位して、サンプル装填位置とサンプル測定位置との間で該機器を位置付け得、該スライド可能なシャフトが、前記シャッター部材に連結され、その結果、前記カバーが閉じた場合、該スライド可能なシャフトの該上位置から該下位置への変位が、該シャッター部材を開く、機器。
【請求項３４】
請求項３１に記載の機器であって、前記下位置から前記上位置に前記スライド可能シャフトを推進し得る、エレベーター機構をさらに備える、機器。
【請求項３５】
請求項３４に記載の機器であって、前記シャッター部材が、円筒形形状である、機器。
【請求項３６】
請求項３１に記載の機器であって、前記シャッター部材が、前記光子検出器に面するように回転して該シャッター部材を開き得る開口部を有する、機器。
【請求項３７】
請求項３１に記載の機器であって、前記保持部材が、サンプル試験デバイスを保持し得、そして該機器が、該サンプル試験デバイス内からのサンプルを分析し得る、機器。
【請求項３８】
請求項３７に記載の機器であって、前記サンプル試験デバイスを、前記光子検出器に対して近位にかつ再現可能に近位に位置付けるための位置付け部材をさらに備える、機器。
【請求項３９】
請求項３７に記載の機器であって、該機器が、前記サンプル試験デバイス内のサンプル収集表面を、前記光子検出器の光子検出経路に対して近位であるが、該光子検出経路内ではないように位置付けるように構成されている、機器。
【請求項４０】
光子放出を検出するための機器であって、以下：
光子検出器；
サンプルデバイスを受容しそして保持するための保持チャンバであって、該保持チャンバが、該サンプルデバイスを該保持チャンバ内に装填するために開かれ得るカバーを有する、保持チャンバ；
エレベーター機構であって、該保持チャンバが、該エレベーター機構と連結され、該エレベーター機構が、該サンプルデバイスを装填するための第１位置と、該サンプルデバイスのサンプル含有部分が該光子検出器の測定経路内にあるような第２位置とに該保持チャンバを位置付け得る、エレベーター機構；
該エレベーター機構に連結されたシャッターであって、該シャッターは、該サンプルが測定位置に位置付けられる場合に該サンプルを該光子検出器に曝露するように開き、そして該サンプルが該機器から取り出すために該測定位置から取り除かれる場合に光を該光子検出器から遮断するように構成されている、シャッター；および
測定デバイスを該機器に接続するための通信ポートであって、該測定デバイスが、該光子検出器によって供給されるパラメーターに加えて、パラメーターを測定し得る、通信ポート、
を備える、機器。
【請求項４１】
サンプル試験デバイスであって、以下：
液体チャンバ；
試薬チャンバ；
分析されるサンプルを保持するためのサンプル測定チャンバ；
分析される環境からサンプルを収集するために使用されるサンプル収集部材；および
変位部材であって、該サンプル試験デバイスが、該変位部材の移動が該液体チャンバからの液体を該試薬チャンバからの試薬と混合し、そして該液体および試薬をサンプル収集部材と接触させるように推進して、該サンプル収集部材からサンプルを解放するように構成され、該変位部材の変位がまた、液体および試薬を該サンプル測定チャンバ内に駆動する、変位部材、
を備える、サンプル試験デバイス。
【請求項４２】
請求項４１に記載のサンプル試験デバイスであって、前記試薬チャンバがシールされ、そして前記変位部材の変位が、該試薬チャンバから試薬を放出する、サンプル試験デバイス。
【請求項４３】
請求項４２に記載のサンプル試験デバイスであって、前記変位部材の変位によって、前記試薬チャンバの一部を通して貫通部材を押すことによって試薬が放出される、サンプル試験デバイス。
【請求項４４】
請求項４１に記載のサンプル試験デバイスであって、貫通先端をさらに備え、前記変位部材の変位によって、前記試薬チャンバが変位され、そして該貫通先端と接触し、それによって試薬を放出する、サンプル試験デバイス。
【請求項４５】
請求項４１に記載のサンプル試験デバイスであって、該サンプル試験デバイスが、完全に組み立てられ、光子検出機器に挿入される場合、前記サンプル収集部材が、該光子検出器の光子検出経路の外側にあり、該サンプル測定チャンバの少なくとも一部が、該光子検出経路内にある、サンプル試験デバイス。
【請求項４６】
サンプル試験デバイスであって、以下：
手動で作動されるように構成された変位部材；
該変位部材が作動する場合に試薬を放出するように構成されているチャンバ；
該試薬が該変位部材の作動によって推進されるチャネルであって、該チャネルがまた、該試薬と液体との混合を促進するように該液体を受容し、該試薬および液体を該サンプル試験デバイスの測定部分に向かう流路に向けるように配置される、チャネル；
サンプル収集表面であって、該サンプル収集表面が、該試薬流路に配置され、その結果、該変位部材の作動によって、該試薬が、該サンプル収集表面と接触して、サンプルを該試薬内に放出する、サンプル収集表面；および
該試薬が該変位部材の作動によって送達される試験デバイスの測定チャンバであって、該測定チャンバが、そのパラメーターを測定している間、該試薬を保持するために、該サンプル試験デバイス内にチャンバを提供する、測定チャンバ、
を備える、サンプル試験デバイス。
【請求項４７】
請求項４６に記載のサンプル試験デバイスであって、前記測定チャンバが、前記サンプル収集表面の端部を超えて延び、その結果、該サンプル収集表面が、該測定チャンバ内でサンプルのパラメーターを測定するために使用される検出器の測定経路内に配置されない、サンプル試験デバイス。
【請求項４８】
請求項４７に記載のサンプル試験デバイスであって、前記サンプル収集表面が、前記変位部材によって前記測定チャンバ内に送達される試薬と接触されたままであるように構成され、その結果、該試薬が、連続的に、該サンプル収集表面からサンプルを遊離され得、その間、該サンプルのパラメーターが測定される、サンプル試験デバイス。
【請求項４９】
請求項４６に記載のサンプル試験デバイスであって、複数の試薬、および前記変位部材が作動する場合、該複数の試薬を放出するように構成された複数のチャンバが存在する、サンプル試験デバイス。
【請求項５０】
請求項４９に記載のサンプル試験デバイスであって、前記測定チャンバが、連続的で、光学的に均一である、サンプル試験デバイス。
【請求項５１】
請求項４９に記載のサンプル試験デバイスであって、前記測定チャンバが、透明である、サンプル試験デバイス。
【請求項５２】
請求項４９に記載のサンプル試験デバイスであって、半透明であるが、前記検出器への光子の通過を許容する、サンプル試験デバイス。
【請求項５３】
請求項４９に記載のサンプル試験デバイスであって、前記試薬のうちの少なくとも１つが、乾燥形態である、サンプル試験デバイス。
【請求項５４】
光子検出器とともに使用するためのサンプル試験デバイスであって、以下：
サンプル測定チャンバ；
分析されるサンプルを収集する際に使用するためのサンプル収集部材；
該サンプル収集部材を該サンプル測定チャンバに連結するためのジョイント部材であって、該サンプル収集部材が、該ジョイント部材によって該サンプル測定チャンバに連結される場合、該サンプル測定チャンバの一部の外側のままであり、該サンプル測定チャンバの一部が、該サンプル試験デバイスが光子検出器とともに使用される場合に光子検出経路内に配置されるように該サンプル測定チャンバが構成される、ジョイント部材、
を備える、サンプル試験デバイス。
【請求項５５】
請求項５４に記載のサンプル試験デバイスであって、液体チャンバをさらに備え、該液体チャンバが、特定量の液体を前記サンプル測定チャンバに送達して、前記収集部材が該サンプル測定チャンバに連結される場合に、前記光子検出経路の領域を超えて延びる容積を占め、そして該サンプル収集部材と流体連絡するように構成される、サンプル試験デバイス。
【請求項５６】
請求項５５に記載のサンプル試験デバイスであって、サンプルを前記サンプル収集部材から前記サンプル測定チャンバ内に変位し得る変位部材をさらに備える、サンプル試験デバイス。
【請求項５７】
サンプルを試験する方法であって、以下：
試薬チャンバを有する試験デバイスを提供する工程；
該試験デバイスの変位部材を作動させて、該試薬チャンバからの試薬を、サンプル収集部材に接触させるように駆動して、そこからサンプルを遊離させる工程であって、該変位部材の作動がまた、該試薬チャンバからの試薬を試験デバイスのサンプル測定チャンバ内に駆動する、工程；および
該サンプル測定チャンバを光子検出経路内に配置して、該サンプル収集部材に収集されるサンプルの光子放出を測定する、工程、
を包含する、方法。
【請求項５８】
請求項５７に記載の方法であって、前記変位部材の作動によって、前記チャンバ内の前記試薬を液体と混合する工程をさらに包含する、方法。
【請求項５９】
請求項５８に記載の方法であって、前記サンプルの光子放出の測定の間、前記光子検出経路の外側に前記サンプル収集部材を維持する工程をさらに包含する、方法。
【請求項６０】
請求項５９に記載の方法であって、前記サンプルからの光子放出の測定が、前記光子検出経路内に前記サンプル測定チャンバの試薬の少なくとも一部を配置する工程、および前記サンプル収集部材を該試薬と接触させて維持する工程を包含する、方法。
【請求項６１】
サンプルを試験する方法であって、該方法が、以下：
複数の別々のチャンバを有する試験デバイスに、液体を含むチャンバの少なくとも１つ、および試薬を含む他のチャンバの少なくとも１つを提供する工程；
該試験デバイスの変位部材を作動させて、該液体および試薬を該チャンバから放出する工程；
該変位部材の作動によって作製される圧力勾配を使用して、該液体および試薬を混合して、溶液を形成する工程；
該変位部材の作動によって作製される圧力勾配を使用して該溶液をサンプル収集表面を通過するように駆動して、該サンプル収集表面を該溶液と接触させ、そして該溶液を用いて該表面からサンプルを遊離させる工程；および
該変位部材の作動によって作製される圧力勾配を使用して、該サンプルを含む溶液を測定チャンバ内に押しやる工程、
を包含する、方法。
【請求項６２】
請求項６１に記載の方法であって、前記試験デバイスの変位部材が、片手のみを使用して使用者によって容易に作動され得る、方法。
【請求項６３】
請求項６１に記載の方法であって、前記サンプルを含む溶液からの発光を測定するための機器を使用する工程をさらに包含する、方法。
【請求項６４】
請求項６３に記載の方法であって、前記機器を使用して、発光に加えてパラメーターを測定する工程をさらに包含する、方法。
【請求項６５】
請求項６４に記載の方法であって、前記さらなるパラメーターが、温度、ｐＨ、溶存気体、伝導率、酸化還元電位、または特定のイオンのうちの少なくとも１つである、方法。
【請求項６６】
生成物、成分、環境、プロセスのサンプルをモニタリングする方法であって、以下：
光子検出器および測定デバイスとの連絡のための通信ポートを有する機器を提供する工程であって、該測定デバイスが、該光子検出器によって測定されるパラメーターに加えてパラメーターを測定し得る、工程；
該通信ポートを通って該機器に連結される該測定デバイスを提供する工程；
該生成物または成分、環境またはプロセスからサンプルを収集し、そして該光子検出器を使用して分析のためにチャンバ内にサンプルを配置する工程；
該光子検出器を使用して該サンプルを分析する工程；および
該生成物、該成分、該環境または該プロセスのパラメーターを該測定デバイスを使用して測定する工程、
を包含する、方法。
【請求項６７】
請求項６６に記載の方法であって、前記光子検出器および前記測定デバイスから受信されたデータが、選択されたＣＣＰインジケーターを表す、方法。
【請求項６８】
請求項６７に記載の方法であって、ＣＣＰ限界に相関するように、前記機器のプロセッサを使用してデータを分析する工程をさらに包含する、方法。
【請求項６９】
請求項６６に記載の方法であって、前記光子検出器および前記測定デバイスからのデータを、前記機器のディスプレイデバイスに表示する工程をさらに包含する、方法。
【請求項７０】
請求項６９に記載の方法であって、データ分析を容易にするために、前記機器からのデータをグラフ形式またはチャート形式で表示する工程をさらに包含し、そのデータの表示およびその分析が、該機器のプロセッサまたは外部プロセッサによって実行される、方法。
【請求項７１】
請求項６６に記載の方法であって、前記光子検出器および前記測定デバイスからのデータを、前記機器のメモリに記録する工程をさらに包含する、方法。
【請求項７２】
請求項６６に記載の方法であって、前記機器からのデータをランダムアクセス構成で記録する工程をさらに包含し、その結果、前記使用者が、任意の量のメモリーを測定される各パラメーターに割り当て得る、方法。
【請求項７３】
請求項６６に記載の方法であって、前記機器が、複数の通信ポートを備え、該通信ポートの少なくとも１つが、前記光子検出器および前記測定デバイスから受信されたデータを外部デバイスに転送するために使用される、方法。
【請求項７４】
請求項７３に記載の方法であって、前記外部デバイスが、前記記録されたデータを分析するために使用されるプロセッサを備える、方法。
【請求項７５】
請求項７４に記載の方法であって、前記外部デバイスが、汎用コンピュータである、方法。
【請求項７６】
請求項７３に記載の方法であって、前記外部デバイスが、データ保存デバイスを備える、方法。
【請求項７７】
請求項７３に記載の方法であって、前記外部デバイスが、汎用コンピュータであり、そして前記データ保存デバイスが、該汎用コンピュータに連結されたハードディスクである、方法。
【請求項７８】
請求項６６に記載の方法であって、前記光子検出器および前記測定デバイスから受信されるデータを分析するために、前記機器のプロセッサを使用する工程をさらに包含する、方法。
【請求項７９】
請求項７８に記載の方法であって、前記データを分析するためにプロセッサを使用する工程が、ＣＣＰ限界との相関を示すために前記機器のプロセッサとともに使用されるソフトウェアを提供する工程を包含する、方法。
【請求項８０】
請求項７８に記載の方法であって、前記データを分析するために使用されるプロセッサが、前記機器に対して内部であり得るか、該機器に対して外部であり得るか、またはそれらの任意の組合せであり得る、方法。
【請求項８１】
請求項６６に記載の方法であって、前記機器を使用して前記生成物、成分、環境、またはプロセスのサンプルのパラメーターを測定する工程が、ＡＴＰレベル、ＡＤＰレベル、アルカリホスファターゼレベル、温度、伝導率、酸化還元電位、ｐＨ、溶存気体、特定のイオン、および微生物数のうちの少なくとも１つに比例する測定値を提供する工程を包含する、方法。
【請求項８２】
少なくとも１つの試験点の評価を促進する方法であって、
第１のデータ構造にＡＴＰデータセットを保存する工程；および
該第１のデータ構造に温度データセットまたはｐＨデータセットのうちの少なくとも１つを保存する工程、
を包含する、方法。
【請求項８３】
請求項８２に記載の方法であって、前記第１のデータ構造に温度データセットまたはｐＨデータセットのうちの少なくとも１つを保存する工程が、該第１のデータ構造に温度データセットまたはｐＨデータセットの両方を保存することを含む、方法。
【請求項８４】
請求項８２に記載の方法であって、前記ＡＴＰデータ、ならびに前記温度データセットまたは前記ｐＨデータセットの少なくとも一方を、同じグラフ上にグラフ化する工程をさらに包含する、方法。
【請求項８５】
請求項８２に記載の方法であって、前記ＡＴＰデータセット、ならびに前記温度データセットおよび前記ｐＨデータセットを、同じグラフ上にグラフ化する工程をさらに包含する、方法。
【請求項８６】
請求項８２に記載の方法であって、前記ＡＴＰデータセット、ならびに前記温度データセットまたは前記ｐＨデータセットを、同じグラフの平行軸に沿ってグラフ化する工程をさらに含む、方法。
【請求項８７】
請求項８２に記載の方法であって、第１の構造にＡＴＰデータセットを保存する工程が、前記試験点の各々についてのそれぞれの清潔ゾーン値を保存することを含む、方法。
【請求項８８】
請求項８２に記載の方法であって、第１の構造にＡＴＰデータセットを保存する工程が、前記試験点の各々についてのそれぞれの相対光単位（ＲＬＵ）を保存することを含む、方法。
【請求項８９】
請求項８２に記載の方法であって、第１のデータ構造にＡＴＰデータセットを保存する工程が、多くの試験点の各々に対応する多くの試験点識別子、該試験点の各々についての清潔ゾーン値またはＲＬＵ値、および該試験点の各々についての合格／警告／不合格インディケーターを保存することを含む、方法。
【請求項９０】
請求項８２に記載の方法であって、前記第１のデータ構造に温度データセットを保存する工程が、前記試験点を通過した項目の温度に対応する少なくとも１つの温度値を保存することを含む、方法。
【請求項９１】
請求項８２に記載の方法であって、前記第１のデータ構造に温度データセットを保存する工程が、前記試験点を通過した項目の温度に対応する温度値、および該試験点を通過した項目についての温度警告／不合格インディケーターを少なくとも１つ保存することを含む、方法。
【請求項９２】
請求項８２に記載の方法であって、前記第１のデータ構造にｐＨデータセットを保存する工程が、前記試験点を通過した項目のｐＨに対応するｐＨ値を少なくとも１つ保存することを含む、方法。
【請求項９３】
請求項８２に記載の方法であって、前記第１のデータ構造にｐＨデータセットを保存する工程が、前記試験点を通過した項目のｐＨに対応するｐＨ値、および該試験点を通過した項目のｐＨ警告／不合格インディケーターを少なくとも１つ保存することを包含する、方法。
【請求項９４】
請求項８２に記載の方法であって、第１のデータ構造にＡＴＰデータセットを保存する工程が、第２のパラメータからの少なくとも１つのデータセットを保存する工程と組み合わされ、該第２のパラメータは、伝導率、酸化還元電位、タンパク質残基、溶存気体、または特定のイオンを含むがこれらに限定されない、方法。
【請求項９５】
以下の工程：
第１のデータ構造にＡＴＰデータセットを保存する工程；および
該第１のデータ構造に温度データセットおよびｐＨデータセットのうちの少なくとも１つを保存する工程、
により、コンピュータによる少なくとも１つの試験点の評価を促進するための指示を保存した、コンピュータ読み取り可能媒体。
【請求項９６】
前記指示により、前記コンピューターは、前記第１のデータ構造に前記温度データセットおよび前記ｐＨデータセットの両方を保存する、請求項９５に記載のコンピューター読み取り可能な媒体。
【請求項９７】
ＡＴＰデータセットおよび第２のパラメーターからの少なくとも１つのデータセットを保存し、該第２のパラメーターが伝導率、酸化還元電位、タンパク質残基、溶存気体、または特定のイオンを含むがこれらに限定されない、請求項９５に記載のコンピューター読み取り可能な媒体。
【請求項９８】
以下の工程：
前記ＡＴＰデータおよび前記温度データセットまたはｐＨデータセットのうちの少なくとも１つを同じグラフ上にグラフ化する工程、
によりさらに、前記コンピューターによる試験点の評価を促進するための指示を保存した、請求項９５に記載のコンピューター読み取り可能な媒体。
【請求項９９】
以下の工程：
前記ＡＴＰデータセット、ならびに前記温度セットおよび前記ｐＨデータセットを同じグラフ上にグラフ化する工程、
によりさらに、前記コンピューターによる試験点の評価を促進するための指示を保存した、請求項９５に記載のコンピューター読み取り可能な媒体。
【請求項１００】
以下の工程：
前記ＡＴＰデータセットおよび第２のパラメータからの少なくとも１つのデータセットをグラフ化する工程であって、該第２のパラメーターが伝導率、酸化還元電位、タンパク質残基、溶存気体、または特定のイオンを含むがこれらに限定されない、工程、
によりさらに、前記コンピューターによる試験点の評価を促進するための指示を保存した、請求項９５に記載のコンピューター読み取り可能な媒体。
【請求項１０１】
以下の工程：
前記ＡＴＰデータセット、前記温度データセット、および前記ｐＨデータセットを、同じグラフの平行軸に沿ってグラフ化する工程、
によりさらに、前記コンピューターによる試験点の評価を促進するための指示を保存した、請求項９５に記載のコンピューター読み取り可能な媒体。
【請求項１０２】
第１のデータ構造にＡＴＰデータセットを保存する工程が、前記試験点の各々についてのそれぞれの清潔ゾーン値またはＲＬＵ値を保存することを含む、請求項９５に記載のコンピューター読み取り可能な媒体。
【請求項１０３】
第１のデータ構造にＡＴＰデータセットを保存する工程が、多くの試験点の各々に対応する多くの試験点識別子、該試験点の各々についての清潔ゾーン値またはＲＬＵ、および該試験点の各々についての合格／警告／不合格インディケーターを保存することを含む、請求項９５に記載のコンピューター読み取り可能な媒体。
【請求項１０４】
前記第１のデータ構造に温度データセットを保存する工程が、前記試験点を通過したかまたは不合格であった項目の温度に対応する温度値を少なくとも１つ保存することを含む、請求項９５に記載のコンピューター読み取り可能な媒体。
【請求項１０５】
前記第１のデータ構造に温度データセットを保存する工程が、前記試験点を通過した項目の温度に対応する温度値、および該試験点を通過したかまたは不合格であった項目についての温度警告／不合格インディケーターを少なくとも１つ保存することを含む、請求項９５に記載のコンピューター読み取り可能な媒体。
【請求項１０６】
前記第１のデータ構造にＡＴＰデータセットを保存する工程が、第２のパラメータからの少なくとも１つのデータセットを保存する工程を組み合わされ、該第２のパラメータは、伝導率、酸化還元電位、タンパク質残基、溶存気体、または特定のイオンを含むがこれらに限定されない、請求項９５に記載のコンピューター読み取り可能な媒体。
【請求項１０７】
前記第１のデータ構造にｐＨデータセットを保存する工程が、前記試験点を通過した項目のｐＨに対応するｐＨ値を少なくとも１つ保存することを含む、請求項９５に記載のコンピューター読み取り可能な媒体。
【請求項１０８】
前記第１のデータ構造にｐＨデータセットを保存する工程が、前記試験点を通過した項目のｐＨに対応するｐＨ値、および該試験点を通過した項目のｐＨ警告／不合格インディケーターを少なくとも１つ保存することを包含する、請求項９５に記載のコンピューター読み取り可能な媒体。
【請求項１０９】
少なくとも１つの試験点の評価を促進する方法であって：
ＡＴＰデータセットを、グラフの第１の軸に沿ってグラフ化する工程；ならびに
温度データセット、ｐＨデータセット、伝導率データセット、酸化還元電位データセット、圧力データセット、および溶存気体データセットのうちの少なくとも１つを、該グラフの少なくとも１つの第２の軸に沿ってグラフ化する工程、
を包含する、方法。
【請求項１１０】
請求項１０９に記載の方法であって、さらに以下：
グラフ化の前に、第１のデータ構造にＡＴＰデータセットを保存する工程；ならびに
グラフ化の前に、温度データセット、ｐＨデータセット、伝導率データセット、酸化還元電位データセット、圧力データセット、および溶存気体データセットのうちの少なくとも１つを保存する工程、
の工程を包含する、方法。
【発明の詳細な説明】
【背景技術】
【０００１】
（発明の背景）
汚染物の制御および衛生の観点でＨＡＣＣＰ（危害分析重要管理点）の原則を利用する、食物、医薬品および化粧品産業における安全性は、病原性微生物の発生の制御のみでなく、これらが広範かつ高価な問題になる前に危険を防止することに関する懸念を生じている。ＨＡＣＣＰは、食物の安全性を確保するために、国際的に認容されている、科学に基づくシステムである。ＨＡＣＣＰは、ＦＤＡおよびＵＳＤＡ、ならびに他の国々によって、採用されている。これは、米国科学アカデミー、コーデックス委員会（国際食物標準設定機関）、および食品微生物基準全国諮問委員会によって推奨されている。宇宙計画のために約３０年前に開発され、ＨＡＣＣＰは、食物の安全性の危険が、安全でない食物が消費者に達することを防止するように制御されることを確保するために効果的であることが示された。
【０００２】
米国のみにおいて、１９９５年以来、ＨＡＣＣＰに基づくシステムは、以下の産業に対して、連邦政府によって命じられた：
・海産物−（２１  Ｃ．Ｆ．Ｒ．Ｐａｒｔ  １２３および１２４０  魚介類及び水産製品の安全で衛生的な加工及び輸入のための手法；最終規則）、１９９５年１２月
・肉および鳥肉−（９  Ｃ．Ｆ．Ｒ．Ｐａｒｔ  ３０４など、病原菌低減化：危害分析重要管理点（ＨＡＣＣＰ）システム；最終規則）、１９９６年７月
・果実および野菜ジュース−（２１ＣＦＲ  Ｐａｒｔ  １２０：危害分析重要管理点（ＨＡＣＣＰ）；ジュースの安全で衛生的な加工および輸入のための手法；最終規則）、２００１年１月。
【０００３】
ＨＡＣＣＰの認容は、まもなく増加する。ＦＤＡは、ＨＡＣＣＰについての規則規定／変更の事前提示案（ＡＮＰＲＭ）を、食物産業の残り（家庭用食品と輸入食品との両方を含む）に適用するように、出版した。また、２０００年１月には、全米ミルク集荷協会（ＮＣＩＭＳ）は、自発的なＨＡＣＣＰ  Ｐｉｌｏｔ  Ｐｒｏｇｒａｍを、Ｇｒａｄｅ  Ａ  Ｄａｉｒｙ製品についての従来の調査システムの代替として使用することを推奨した。
【０００４】
食物製造者がＨＡＣＣＰに基づく要件または標準を効果的に満たすためには、関連するＨＡＣＣＰデータを収集し、モニタリングし、そして分析する代わりの、効果的なシステムを有することが、きわめて重要である。このことに対する必要性は、食物製造者が従わなければならないＨＡＣＣＰの７原則を試験することによって、見られ得る：
１．危害分析を実施すること。
２．重要管理点（ＣＣＰ）を設定すること。ＣＣＰは、多数の可能な測定制御が適用され得、そしてその結果、食物の安全性の危険が防止され得るか、排除され得るか、または認容可能なレベルまで低下され得る、食物加工における点、工程または手順である。
３．各ＣＣＰに対する測定パラメータおよび臨界限界を確立し、そしてＣＣＰを測定するための方法を同定する。例えば、調理ＣＣＰのコンプライアンスは、２つの指標（時間および温度）の組み合わせによって、評価され得る。
４．ＣＣＰをモニタリングして、確立された臨界限界について進行中のコンプライアンスを確保する。モニタリングシステムは、個々の偏差を検出するのみでなく、データを分析して、ＨＡＣＣＰ計画を再評価する必要性を示し得る偏差のパターンを同定するべきである。
５．重要なパラメータのモニタリングが、臨界限界に達しないことを示す場合になされる、補正作用を確立する。
６．正確な記録を維持する。有効な記録維持は、１つの要件である。ＨＡＣＣＰの記録は、事象が起こった時点で作成されなければならず、そしてパラメータ測定値、日付、時刻およびその記入を行うプラント従業員を含まなければならない。
７．そのシステムが、初期および進行中に適切に働いていることを確認する。これらの作動は、モニタリング設備の較正、モニタリング作動の直接の観察、および記録の再調査を含む。
【０００５】
ＨＡＣＣＰを以前の調査システムと区別する、ＨＡＣＣＰシステムの１つの本質的な特徴は、ＨＡＣＣＰが、食物の安全性を確保する責任をその食物製造者に直接与えることである。各プロセッサは、ＣＣＰを同定し得、種々のパラメータ指標を各ＣＣＰについて測定し（例えば、調理プロセスを確認するための時間および温度の測定）、偏差を同定し、偏差の傾向の分析を実施し、そしてデータを文書にしてＨＡＣＣＰ要件とのコンプライアンスを示さなければならない。現在、これらの臨界的かつ本質的な機能を実施し得る、単一の装置も分析手順も利用可能ではない。例えば、食物プロセッサは、孤立した測定を行うための多くの単一機能のモニタ（例えば、温度プローブおよび光度計であり、これらの両方は、以下にさらに議論されるように、食物の安全性に関するパラメータを測定し得る装置である）を使用し、次いで、その読み取りを、手動で、異なるデータ収集シートに記入するようである。このような収集手順は、退屈であり、そして人為的ミスを非常に受けやすい。さらに、製造環境の質に対する複数のパラメータの関係の検査は、ほとんど不可能でなければ困難である。選択されたＣＣＰを、ＨＡＣＣＰに基づく要件および標準に従うために直接使用され得る形式で収集し、保存し、統合し、そして分析するための、単純かつ効果的な方法に対する必要性が存在する。
【０００６】
ＨＡＣＣＰに基づくモニタリングプログラムに次第に近付くことは、より迅速な、より高感度の、かつより実施が容易であることによって改善された試験方法に対する傾向と同時に進行することは、驚くべきことではない。より厳密な標準（例えば、ＨＡＣＣＰに基づくモニタリングプログラムに関連する標準）が、試験方法におけるこのような改善を動機付けると期待される。この試験方法が改善されるにつれて、標準がより厳密になるようである（なぜなら、コンプライアンスがより正確に、精密に、そして効率的に、維持および確認され得るからである）点において、逆もまた真実である。
【０００７】
製造環境の改善された試験に対するこの傾向は、広範な種々の産業（食物、医薬品、化粧品、および医療の分野が挙げられるが、これらに限定されない）において生じている。このような産業において、環境の質のレベルをモニタリングするために、多くの技術（微生物培養物を使用する技術が挙げられる）が使用される。微生物培養物は、最も広範に実施される試験方法であるが、それらの低い試験スループット能力および長いインキュベーション時間に起因して、使用が制限されている。これらは、作動の発生の直前の環境の質を測定し得ない。特定の病原体を検出し、そしていくつかの場合には定量する、種々の試験が開発されている。これらは、ハイスループットの自動化システムから、単一サンプル試験デバイスの範囲であり得る。これらの方法は、検出のための微生物の増殖を必要とし、これは、かなりの時間を浪費する。アデノシン三リン酸（ＡＴＰ）およびアルカリホスファターゼ（ＡＰ）の測定パラメータのようないくつかの技術は、環境汚染物のレベルに間接的に相関するパラメータを測定する。なお他のものは、微生物の存在および繁殖の危険性に関連する要因（すなわち、温度、ｐＨ、伝導率、酸化還元電位、溶存気体、全溶解固形物、およびタンパク質残基）をモニタリングする。後者の型の方法は、通常、それらの決定がリアルタイムであり、臨床環境の質の情報を即時のベースで得る際に、使用者にはっきりした利点を与える。
【０００８】
代表的に、ＡＴＰおよびＡＰならびに類似の検出標的は、生物発光技術を使用する。このプロトコルは、サンプルを目的の表面から収集するためのデバイスを使用する工程、およびこのデバイスを作動させて、このサンプルと一緒に試薬を混合し、サンプリングされたＡＴＰ／ＡＰの量に比例する光を発生させる工程を包含する。次いで、このデバイスを光子測定機器に挿入することによって、この反応が読み取られる。
【０００９】
１つの生物発光ＡＴＰモニタリングシステムは、ＩＤＥＸＸ  ＬＡＢＯＲＡＴＯＲＩＥＳによって開発された、ＬＩＧＨＴＮＩＮＧシステムである。このデバイスは、予め湿らされたスワブ、一端の球における緩衝液、および読み取り端部における、箔で密封された区画内の凍結乾燥された試薬を含む。このスワブがデバイスから取り出され、サンプルを試験表面から収集するために使用され、そしてこのデバイスのチューブに戻される。次いで、球が折り曲げられ、スナップ弁を破壊して開き、これにより、この球が絞られる場合、緩衝液が読み取りチャンバ内に放出される。次いで、サンプル含有スワブが、箔障壁に沿って押され、このデバイスが振盪され、そしてスワブ上のＡＴＰと（緩衝液中に）溶解した試薬との間で、反応が進行する。このデバイスは、光子測定機器の読み取りチャンバに挿入され、そして読み取りが、１０秒間の積分時間にわたって行われる。生物発光信号の強度は、スワブ上のＡＴＰに比例する。
【００１０】
現在使用されている別のシステムは、ＣＨＡＲＭ  ＳＣＩＥＮＣＥＳ  ＰＯＣＫＥＴＳＷＡＢ  ＰＬＵＳと称される。これは、ＬＵＭＩＮＡＴＯＲ  Ｔ可搬型ルミノメーターと共に使用される、統合型デバイスである。このデバイスは、予め湿らせたスワブを備える。これは、デバイスの基部から取り出され、表面を拭き取るために使用され、基部に戻され、次いで、基部に対して頂部を回転させることによって、作動される。この作動は、スワブ先端に分離障壁を穿孔させ、別個の試薬を基部の底部チャンバに移動させ、スワブに収集されたサンプルと混合され、そして反応される。試薬の底部への移動および底部チャンバでの混合を容易にするために、振盪が必要とされる。
【００１１】
次いで、作動されたデバイスは、ルミノメーターの頂部の穴に挿入され、そして停止するまで押し下げられる。このプロセスは、扉を置き換える。このデバイスの上部は、機器の外側のままであるが、読み取りチャンバ開口部と共にシールを形成する。次いで、この機器の読み取りボタンが押されて、信号積分期間を開始し、その後、読み取りが、相対光単位（ＲＬＵ）で表示される。
【００１２】
別のこのようなシステムは、ＵＮＩ−ＬＩＴＥ  ＸＣＥＬ可搬型ルミノメーターと共に使用するための、ＢＩＯＴＲＡＣＥ  ＣＬＥＡＮ−ＴＲＡＣＥ  ＲＡＰＩＤ  ＣＬＥＡＮＬＩＮＥＳＳ  ＴＥＳＴ内蔵デバイスである。これもまた、予め湿らされたスワブを有し、これが取り出され、サンプルが収集され、そしてスワブが戻される。作動は、このデバイスの頂部（これは、サンプルを含む）を基部の方へと、膜障壁を通して押し下げることを包含する。このスワブは、穿孔先端に係合し、これがこの膜を破り、そして試薬を、ＣＨＡＲＭデバイスの様式と類似の様式で混合させる。溶液の全てを底部に移動させるために、振盪が必要とされる。
【００１３】
ＢＩＯＴＲＡＣＥルミノメーターは、キャップを有し、このキャップは、持ち上がり、そして邪魔にならないように回転して、読み取りチャンバを露出させる。サンプルを含むデバイスがチャンバ内に低下され、そしてキャップが閉じられる。このキャップが完全に閉じると、光遮断部材が開き、信号測定が可能になる。ＣＨＡＲＭユニットと同様に、ボタンが読み取りサイクルを開始し、このサイクルは、ＲＬＵでの光読み取りの表示で終了する。
【００１４】
ＭＥＲＣＫもまた、ＡＴＰのための衛生モニタリングシステムを提供し、これは、ＨＹ−ＬＩＴＥモニタを、ＨＹ−ＬＩＴＥ試験スワブ、リンスチューブおよびサンプリングペンと共に利用する。このスワブは、リンスチューブ内で湿らされる。表面が拭き取られる。このスワブがチューブに戻され、そして数秒間回転されて、任意の収集されたＡＴＰを放出させる。このスワブが絞り出され、そして取り除かれる。次いで、ペンが、１秒間挿入されて、サンプルを拾い上げる。ペンの先端は、硬質パッドに当たり、そしてキュベットに係合する。ボタンが押されて、試薬を解放し、そしてキュベット内での反応を開始させる。次いで、このキュベットが取り出され、そして振盪され、モニタの読み取りチャンバに挿入され、そしてボタンが押されて、１０秒間の光積分期間を開始する。次いで、ＲＬＵが、モニタシステムに表示される。
【００１５】
類似のシステムが、ＣＥＬＳＩＳによって開発され、ＳＹＳＴＥＭＳＵＲＥ可搬型衛生モニタリングシステムと称される。試験手順は、ＭＥＲＣＫシステムの手順と類似であり、ここで、スワブは湿らされ、そして表面が拭き取られる。次いで、この試薬が、キュベット中にピペッティングされる。スワブがキュベットに挿入され、そして数秒間回転され、次いで取り除かれる。キュベットがキャップされ、そしてルミノメーターに挿入され、ここで、読み取りが開始される。
【００１６】
一方，より簡単なシステムとしてＫｉｋｋｏｍａｎは、ＬｕｃｉＰａｃスワッブと共に使用し、Ｌｕｍｉｔｅｓｔｅｒ  Ｃ−１００において読み取られるＣｈｅｃｋＬｉｔｅ試薬を開発した。再構成緩衝液およびＡＴＰ放出用緩衝液と組み合わせた標準凍結乾燥ルシフェリン−ルシフェラーゼ試薬は、スワッブアセンブリの様々な仕切り内へ手作業で装填される。スワッブを放出用緩衝液で湿らせてから試料採集に用いられる。スワッブをアセンブリハウジング内に再び挿入し、押し下げてスワッブのヘッドで障壁を突き破り、アセンブリの底にある試験管内の他の試薬と一緒にする。混合は、振盪またはボルテックスにより達成される。アセンブリの試験管部を取り出し、ルミテスターの測定チャンバーに差し込む。反応は、ボタンを押すことで行われる。
【発明の開示】
【発明が解決しようとする課題】
【００１７】
使用の容易さを増強し、そして測定の確度および精度を改善するように設計された、改善された方法および装置に対する必要性が存在する。現在のシステムは、特定の工程（例えば、予め湿らせること、ピペッティング、回転（ｒｏｔａｔｉｎｇ）、両手での回転（ｓｃｒｅｗｉｎｇ）、両手で押すこと、衝撃、振盪、および正確なタイミングであり、これらは、デバイスの作動を十分には制御せず、そして増加した読み取りの分散に寄与する）に関して煩わしい、操作者による不必要な作動を組み込む。
【課題を解決するための手段】
【００１８】
本発明は、方法および装置の複数の実施形態を提供し、既存のシステムの上記制限のいくつかを克服する。
【００１９】
（発明の簡単な要旨）
本発明は、モニタリングアセンブリの種々の実施形態に関する。このアセンブリは、機器およびプローブアセンブリ、またはサンプル試験デバイスを備え、これらは、一緒に使用されて、プロセスまたは環境の多数の異なるパラメータ（発光パラメータが挙げられる）を、効率的に、正確に、そして精密にモニタリングし得る。１つの実施形態において、この機器は、光子検出アセンブリを備え、そしてプローブアセンブリは、この光子検出アセンブリでのサンプル収集および発光読み取りのための、統合された、内蔵式の試験デバイスである。この機器およびプローブアセンブリの実施形態を使用するための方法の種々の実施形態もまた、本発明の主題である。
【００２０】
この機器は、サンプル試験デバイス（すなわち、プローブ）（本発明のプローブアセンブリを含む）に含まれるサンプルの光読み取りを実施するための、ルミノメーターとして作動し得る。１つの実施形態において、この機器は、エレベーター機構に接続された、蝶番つきカバー（すなわち、蝶番つきキャップ）を備える、暗所読み取り（ｄａｒｋ  ｒｅａｄｉｎｇ）チャンバを有する。この接続の構成は、蝶番つきカバーが開いて試験デバイスがチャンバ内に装填される場合でさえも、この機器の光子検出器が、外部光に曝露されることを防止する。このことは、信号の安定性のため、および増加したバックグラウンド光子計数（これは、低下したシステム感度の主要な原因である）を低下させるために、非常に重要である。蝶番つきカバー、この機器におけるシャッター部材、およびエレベーター機構の種々の構成要素は、協働して、エレベーター機構が押し下げられてサンプル含有デバイス（すなわち、プローブ）を読み取り位置に低下させる場合に、光子検出器を、外部光への曝露から遮断する。また、エレベーター機構およびシャッターは、蝶番つきカバーが開いて試験デバイスがこの機器に装填される場合でさえも、光子検出器が光に曝露されることを防止する。蝶番つきカバーが閉じ、そして試験デバイスが低下される場合、シャフトが回転して、このシャッターを開き、従って、先に光度計測的に安定化された暗所環境において、読み取りが得られ得る。
【００２１】
さらなる実施形態において、この機器は、通信ポートを備え、この通信ポートは、この機器が、光子検出器に加えて、測定デバイスから信号を受信することを可能にする。この測定デバイスは、外部デバイスまたは外部検出プローブであり得、光子検出器によって提供される以外のパラメータ（例えば、温度、ｐＨ、溶存気体、伝導率、および特定のイオンであるが、これらに限定されない）を測定または感知し得る。外部プローブはまた、１つより多くの型のパラメータを測定または感知し得る、マルチパラメータプローブであり得る。いくつかの実施形態において、この測定デバイスは、少なくとも部分的に、この機器のハウジングに対して内部であり、ここで、測定デバイスとの通信のための通信ポートはまた、この機器のハウジングに対して内部であり得る。
【００２２】
プローブアセンブリに関して、１つの実施形態において、これは、プローブアセンブリを片手のみで作動させるために下方に押され得る、プランジャーを備える。これは、プローブ内のシールされた収容チャンバを、穿孔先端に押し付け、これによって、このシールを穿孔する。これらのチャンバのうちの１つは、乾燥試薬を含み、そして他のものは、緩衝溶液を含む。チャンバのシールが穿孔される場合、これらのチャンバの内容物が混合して、試薬溶液を形成する。この試薬溶液は、チャネルを通り、そしてサンプル含有スワブ先端を通って流れ、サンプルを試薬内に放出させる。次いで、この試薬はサンプルと反応し、そしてサンプル中のＡＴＰ、ＡＤＰまたはアルカリホスファターゼのような材料（これらに限定されない）、および特定の適用のために選択された試薬によって、環境汚染物のレベルに比例する光を放出する。プローブアセンブリは、この機器に直接挿入されて、サンプルから放出される光を測定し得る。
【００２３】
（発明の詳細な説明）
本発明は、広範な種々の状況において重要な情報を提供するために使用され得る、生成物（製品）、成分、環境のサンプルを測定するための装置および方法ならびに定量プロセスの種々の実施形態に関する。これらの設定としては、食品産業、医薬産業、化粧品産業および医療産業における試験が挙げられるが、これらに限定されない。これらの設定としては、さらに、一般的用途（例えば、商業的空調設備および冷却塔が挙げられるが、これらに限定されない）のための環境調節設備および制御設備が挙げられ得る。さらなる設定としては、生物学的材料での故意または不慮の汚染に潜在的に感受性である、敏感な環境（例えば、軍事施設、病院または密閉された高い居住率の建物）が挙げられる。
【００２４】
本発明の特定の実施形態を示す図面が、例示の目的のために提供される。また、本発明は、反応からの光放射を測定することによる病原性汚染物のモニタリングを含む文脈において記載される。しかし、当業者が理解するように、本発明の種々の局面もまた、種々の他の設定において適用可能であり得る。また、理解されるように、等価な改変が、本発明の範囲からも精神からも逸脱することなく、本発明に対してなされ得る。本発明の記載を不明瞭にする不要な詳細を回避するために、全てのこのような改変が例示または記載されているわけではない。
【００２５】
図１Ａ、１Ｂおよび２は、本発明のプローブアセンブリ１０（サンプル試験デバイス）の１実施形態を示す。図１Ａは、プローブアセンブリ１０の分解図であり、そして図２は、プローブアセンブリ１０の部分的断面図である。プローブアセンブリ１０は、サンプルを収集するために使用され、そしてまた、サンプルが試薬溶液に放出される反応チャンバとして働く。このプローブアセンブリ１０はまた、本発明の機器１００のような機器によってパラメータが測定されながら、サンプルを保持するためのデバイスとしても作用し得る。図５〜１１は、機器１００および機器１００に収容される光子検出アセンブリ７０の１実施形態を示し、この光子検出アセンブリ７０は、プローブアセンブリ１０中に含まれるサンプルのパラメータ（例えば、光子計数）を測定するために使用され得る。
【００２６】
プローブアセンブリ１０は、図２に示されるように、中空シャフト１６を備える、サンプル収集部材または掻き出し棒（ｓｗａｂ  ｓｔｉｃｋ）１２を備える。掻き出し棒１２は、サンプル収集表面または掻き出し先端１４を有する。例示的実施形態において、掻き出し棒１２の掻き出しシャフト１６は、管状である。また、シャフト１６の下方端部（「上方」および「下方」は、図中のデバイスの向きに関する）は、開放端であり、管状シャフト１６の中空内部をさらす。掻き出し先端１４は、下方の開放端部を覆う。ほとんどの実施形態において、掻き出し先端１４は、プローブアセンブリ１０と共に使用される試薬溶液が、シャフト１６の中空内部から外へ、そして掻き出し先端１４を介して流れ出し、掻き出し先端１４上に収集されたサンプルと反応することを可能にする、液体透過性材料（例えば、綿、Ｄａｃｒｏｎ、多発泡体または多孔性の液体透過性プラスチック）のサンプリング表面から作製される。掻き出し棒１２の上方端部１８は、図２中に最良に示され、そして以下に記載されるような、接続チューブ２２に挿入されることによって、プローブアセンブリ１０の残りの部分に固定される。いくつかの実施形態において、掻き出し先端１４は、予め湿らされて、サンプル収集を助ける。他の実施形態において、乾燥した掻き出し先端１４で十分である。
【００２７】
図１Ａおよび２は、プローブアセンブリ１０が、プローブハウジング２０およびこのプローブハウジング２０内に形成された接続チューブ２２を有することを示す。接続チューブ２２は、プローブハウジング２０内の上方端部部分３０、および例えば、プローブハウジング２０に一体的に形成されることによって、プローブハウジング２０の下方端部部分に連結された下方端部部分３４を有する。これは、図２中に最良に示される。
【００２８】
接続チューブ２２の下方端部部分３４はまた、管状スタッブ３６と一体的に形成され得、この管状スタッブと接続チューブ２２とは、同軸上に整列されている。管状スタッブ３６は、接続チューブ２２の下方端部３４およびプローブハウジング２０から下方に延びる。また、試験管握り環３９は、図１Ａ中に最良に示されるように、管状チューブ３６の外部表面上に形成され得る。
【００２９】
接続チューブ２２は、一部、プローブハウジングに掻き出し棒１２を連結するための連結部材として機能する。図２に示されるように、接続チューブ２２の内部チャンバ２６の一部は、握り部材２４を備える。掻き出しシャフト１６の上方端部１８は、接続チューブ２２の下方端部３４を介して、接続チューブ２２の内部チャンバに同軸上に挿入され得、そして掻き出し棒１２をプローブハウジング２０に固定するための握り部材２４を有するチャンバの一部へと押し込まれ得るように、構成およびサイズ決めされる。また、接続チューブ２２の内部チャンバ２６は、掻き出しシャフト１６と接続チューブ２２との間にシールを提供するために、握り部材２４の上に減少した直径を有する。
【００３０】
示される実施形態において、接続チューブ２２の上方端部部分３０は、オリフィス３２を伴って形成される。いくつかの実施形態において、このオリフィスは、接続チューブの内部チャンバ２６の平均直径よりも小さい直径を有する。このオリフィス３２は、接続チューブ２２の内部チャンバ２６と、接続チューブの外側との間に、開口部を提供する。このオリフィス３２は、開口部を上方に向けて、接続チューブ２２の上方端部部分３０の頂部で中心を合わせる。図２中で見られ得るように、穿孔先端２８もまた、接続チューブ２２の上方端部部分３０に接続される。いくつかの実施形態において、穿孔先端２８は、接続チューブ２２へと一端にて連結され、そしてその他端が、穿孔先端２８が形成されるオリフィス上に延びる、突出部材上に形成されることによって、オリフィス３２上に直接配置される。
【００３１】
プローブアセンブリ１０は、プローブハウジング２０にスライド可能に接続され、そしてプローブアセンブリ１０を起動するために起動または押され得る、プランジャー４４または移動部材を有する。図１Ａおよび２を参照のこと。プランジャー４４は、液体チャンバ４６を有する。１実施形態において、液体チャンバ４６は、液体緩衝液および界面活性剤を含み、この液体は、プランジャー４４の下方端部におけるホイルシール４８によって、液体チャンバ４６中にシールされる。他の実施形態において、この液体チャンバは、異なる試薬を含み得る。このプランジャー４４はまた、上方で開き、そして空洞内に挿入されるピンを有する機器によって適所にプローブアセンブリを保持するために使用され得る、中空保持空洞４７を有する。
【００３２】
図２および３において最良に示されるように、プランジャー４４は、プローブアセンブリの起動の前に、「上の」位置にあり得（ここで、プローブアセンブリ１０においてまだ反応が起きていない）、または「下の」位置まで下方に押され得る。プランジャーが「下の」位置まで下方に押されるかまたは下方に起動される場合、穿孔先端２８は、液体チャンバ４６のホイルシール４８、ならびにプランジャー４４の下に配置された、試薬を含む乾燥チャンバ３８のホイルシール４２を穿孔する。プランジャー４４は、液体チャンバから放出される液体が、プランジャー４４を通ってプローブアセンブリ１０の外部へと漏出するのを防止するために、プローブハウジング２０の内部表面と嵌合する、シール環４５を有することもまた注目される。
【００３３】
乾燥試薬チャンバ３８（これは、１種以上の試薬および乾燥剤を含み得る）は、プランジャー４４の下で、プローブハウジング２０内に配置される。乾燥チャンバ３８は、乾燥チャンバ３８（この中に試薬がシールされる）の頂部および底部をシールするために、ホイルシール４２を有する。突出側方向位置安定装置４０（ｒａｉｓｅｄ  ｌａｔｅｒａｌ  ｐｏｓｉｔｉｏｎ  ｓｔａｂｉｌｉｚｅｒ）が、乾燥チャンバ３８の外部表面上に形成され、チャンバ２８の周りに整列させるよう作用する。図１Ａおよび２を参照のこと。ポジショナー４０は、プローブハウジング２０の内部表面を係合するように構成され、そしてプランジャー４４が「上の」位置にあるままで、穿孔先端２８の上の位置に乾燥チャンバ３８を保持するが、プランジャー４４が「下の」位置に配置されると、穿孔先端２８を通過して乾燥チャンバ３８が下にスライドすることを可能にして、ホイルシール４２を破断する。
【００３４】
いくつかの実施形態において、乾燥チャンバ３８および液体チャンバ４６は、位置について逆転され得る。すなわち、チャンバ４６は、乾燥試薬または試薬の成分を保持し得、そしてチャンバ３８は、液体試薬または試薬の液体成分を保持し得る。他の実施形態において、両方のチャンバが、液体を含み得る。さらに、特定の適用について選択される試薬溶液の成分は、種々の方法で、チャンバ３８、４６中に分布し得る。例えば、１つのチャンバは、媒体または緩衝溶液を含み得るが、他方の容器は、サンプルからのエネルギー放射を促進するための反応試薬を含む。また、本発明のいくつかの実施形態は、１つのチャンバまたは２つより多いチャンバを備え得る。さらなる実施形態において、１つのチャンバは、増殖促進媒体を含み得、そして別の容器は、安定化媒体または輸送媒体を含み得る。これらは、一緒に使用されても別々に使用されてもよい。
【００３５】
環状キャップ５０は、プローブハウジング２０およびプランジャー４４上に嵌合される。図２中に最良に示されるように、キャップの下部部分５２は、このプローブハウジング２０の上部端部にてこのハウジングの外部表面に嵌合するように構成され、そしてキャップ５０の上部部分５４は、プランジャー４４の外部表面と嵌合する。プランジャー４４は、キャップ５０に関してスライド可能であり、一方でプローブハウジング２０は、キャップ５０に固定して嵌合される。また、プランジャー４４の表面と関連する小さい拘束突出５６が存在し、使用者がプランジャー４４を押圧することによってプローブを起動するまで、「上の」位置にプランジャー４４を保持するために、キャップ５０の上部端部を係合する。
【００３６】
半透明試験管５８が、プローブアセンブリ１０に提供される。試験管５８は、使用されていないサンプリングデバイスを保護し、サンプル含有デバイスを収容し、活性化されたサンプルおよび試薬を蓄積し、そして測定チャンバとして作用するよう働く。図１Ａ、１Ｂおよび２を参照のこと。プローブアセンブリ１０が完全なアセンブリであり、起動準備ができると、試験管は、掻き出し棒１２上に嵌合され、その結果、掻き出し先端１４は、試験管５８内に収容される。図１Ｂを参照のこと。試験管５８の上部部分の直径は、管状スタッブ３６上の試験管握り環３９上にぴったりと嵌合するようにサイズ決めされ、その結果、試験管５８が管状スタッブ上に押される場合、十分に密な嵌合が達成されて、試験管５８を管状スタッブ３６に固定して連結する。
【００３７】
図１Ａに示されるように、管状スタッブ３６の握り突出部３９の隙間および試験管５８の上部縁部から構成される大気ベント６０もまた、存在する。これは、プローブアセンブリ１０の内側から大気への排気を提供して、プランジャー４４が押圧される場合に、プローブアセンブリからの圧力集中を解放する。プランジャー４４がプローブの起動の間に押圧される場合、圧力勾配が、プランジャー４４の近傍の高圧点と、大気ベント６０における低圧点との間に生成される。このことは、プランジャー４４の近傍の点から試験管５８への流体の流れを確実にする。
【００３８】
作動の際に、図１Ｃに示されるように、試験管５８は、プローブから取り外されて、接続チューブからの取り外しなしに、サンプル収集のために掻き出し先端１４を露出する。次いで、使用者は、掻き出し先端１４を使用して、サンプル表面に接触する。次いで、試験管５８は、掻き出し棒１２上に配置され、そして管５８の上部端部部分が、管状スタッブ３６上を押されて、試験管を適所に配置する。プローブを起動するために、使用者の手または指によって十分に供給される下向きの力が、プランジャー４４に適用されて、穿孔先端２８に向かってプランジャー４４を駆動し、従って、乾燥チャンバ３８のホイルシール４２および液体チャンバ４６のホイルシール４８を破断する。プランジャー４４は、図２および３に示されるように、「上の」位置から「下の」位置に移動される。液体チャンバ４６からの液体緩衝溶液および乾燥チャンバ３８からの試薬は、放出され、そして混合される。試薬溶液は、接続チューブの上方端部部分３０にてオリフィス３２を通して、プランジャー４４の下方の推力によって、掻き出し棒１２の中空シャフト１６へと押しやられる。図３中の表示された矢印（「Ａ」）は、中空シャフト１６によって規定されるチャネルを通る、流体流路の一部を示す。プランジャーの下向きの推力によって生成される圧力集中は、大気ベント６０によって解放され、掻き出し棒１２のシャフト１６中の矢印（「Ｂ」）によって示される流路を通って下方に試薬溶液を駆動または駆出する、圧力勾配を維持する。流体は、掻き出し先端１４を通って掻き出しシャフト１６を出、従って、収集されたサンプルと接触し、試薬溶液へとサンプルの一部または全部を放出する。放出されたサンプルを含む試薬溶液は、次いで、試験管５８の遠位端部に蓄積する。
【００３９】
試験管の遠位端部は、本発明のいくつかの実施形態において、光子検出デバイスに曝されるプローブアセンブリ１０の測定部分として働く。試薬およびサンプルは、反応して、ＡＴＰ、ＡＤＰ、アルカリホスファターゼまたはサンプル中の他の適切な分析物の量に比例した光を発生させる。機器１００（これは、光子検出デバイス（以下に記載され、そして図４〜１０に示される検出アセンブリ７０）を備える）は、試薬溶液から放射された光を測定するために使用されて、サンプリングした環境中の汚染物のレベルの指標を提供する。プランジャー４４、オリフィス３２および掻き出しシャフト１６によって一部形成された流体チャネルを備える、プローブアセンブリ１０の構成は、プランジャーの移動が、実質的に全てまたは十分な量の試薬溶液およびサンプルを、さらなる動作（例えば、振とう）を必要とせずに、プローブの測定部分（試験管５８の遠位端部）へと駆動することを確実にする。
【００４０】
本発明の種々の実施形態の精密さ、正確さ、信頼性および使用のし易さに寄与する、プローブアセンブリ１０のいくつかの特徴の概要を、以下に提供する。例えば、乾燥チャンバ３８上のホイルシール４２および液体チャンバ４６上のホイルシール４８は、プローブアセンブリ１０の起動の間に、掻き出し先端１４によって接触されない。このことは、試薬チャンバの膜を穿孔するために掻き出しが使用されることを必要とする現在利用可能なデバイスとは対照的である。従って、本発明は、試薬チャンバのシールとの接触に起因して、サンプルが掻き出し先端１４から除去されるのを防ぐ。また、本発明のプローブアセンブリ１０は、プランジャー４４を押圧することによって、一方の手のみで容易に起動できる。これはまた、プローブアセンブリ１０の幾何学によって十分に混合されるので、試薬を液体緩衝溶液と混合するために振とうすることを必要としない。例えば、この試薬溶液は、液体および試薬の放出によって適切に混合され、オリフィス３２を介して、そして掻き出しシャフト１６またはチャネルへと、そしてこれらを介して、そして掻き出し先端１４を介して、混合物の乱流と合わせられる。試薬の量は、プローブを起動するために一方の手のみを使用して、自動的、精密かつ正確に、提供および分散される。また、１実施形態において、プローブアセンブリ１０は、掻き出し先端１４が、光子検出デバイスまたは光子感応路の読み取り領域に配置された試験管５８の底部部分の上にあるように、構成される。このことは、図９において見られ得、ここで、環状開口部９６（シャッター８２の開口部）は、光子検出デバイスの光子感応路を近似する。掻き出し先端１４が、この読み取り領域の直上にあることに留意のこと。同時に、プローブアセンブリ１０は、試験管５８中の液体レベル９８が、それにもかかわらず掻き出し先端１４との液体接触または連絡を維持するのに十分に高いように、十分な量の液体を分散するように構成される。このこともまた、図９において見られ得る。この構成により、液体が、掻き出し先端１４からサンプルを解放することがなおできるままで、光子検出デバイスが、掻き出し先端１４からの最小の干渉で、溶液から放射される光を測定することが可能となる。プローブアセンブリ１０はまた、試薬漏出を排除するように設計され、この漏出は、測定値の精密さを低減させ、そして上記の種々のシールに起因して、サンプリングされた表面を汚染し得る。
【００４１】
プローブアセンブリ１０が操作される方法は、別個の試薬区画間の障壁を穿孔する操作、これらの試薬を混合する操作、および正確な既知の量で混合された試薬を分配する操作、そして最後に、検出のために、材料を含むサンプルを放出する操作を、完全に統合する。サンプリングデバイスを介した全ての試薬の起動、混合および分配の工程を連続的に行う、統合された穿孔、移行およびチャネリングの機構は、サンプル含有表面で試薬分離障壁を穿孔すること、および結果として生じる障壁デブリ上のサンプルの損失、デバイスの間隙または開放空洞における試薬材料の損失を回避し、そして適切な操作を確実にするために、操作者がデバイスを振とうするか、捻るか、または繰り返し操作する必要性を回避する。試験管５８または測定チャンバが、光学的に均一であり、そして効果的な光度測定を導く、連続的収集および読み取りチャンバを形成することもまた、留意される。このことは、より正確、精密かつ高感度の読み取りのために、光子伝送を増強する。
【００４２】
本発明の機器１００の特定の実施形態は、機器ハウジング１０１を備え、この機器ハウジング１０１内に、光子検出アセンブリ７０が収容される。図１１および１２を参照のこと。図１１は、機器ハウジング１０１が示される機器１００の１実施形態の外装の模式図であり、そして図１２は、機器１００の１実施形態のブロック図であり、外部測定デバイス１０７（複数パラメータの外部プローブは、図１２に例示される実施形態によって示される）を示すが、光子検出デバイス７０もプローブアセンブリ１０（サンプル試験デバイス）も示されていない。この外部測定デバイスは、その機能性を損なうことなく、機器１００に固定され得るか、機器１００から脱着可能であり得る。図１１において、光子検出アセンブリ７０の上部部分が見られ得、検出アセンブリの残りの部分は、機器ハウジング１０１中に収容されている。
【００４３】
機器１００は、キーパッド１０２または制御パネル、ディスプレイスクリーン１０４、プロセッサ１０６および１つ以上の通信ポート１０８を備え得る。通信ポート１０８は、測定デバイス１０７または他の外部デバイスのいずれかと共に使用するために、機器の内部または外部のいずれかに、任意の種々の入力デバイスおよび／または出力デバイスを備え得る。他の実施形態において、この機器はまた、内部システムメモリ１１０を備える。なお別の実施形態において、この機器は、外部メモリデバイス１１２（例えば、メモリーカードおよびＣＤ−ＲＯＭディスクが挙げられるが、これらに限定されない）を受容および読出しするための受容デバイス１１３を備える。さらに、他の形態の外部メモリが、通信ポート１０８を介して外部メモリにデータを出し入れすることによって、機器１００と共に使用され得る。これらの他の型の外部メモリは、汎用コンピュータシステム１２０（以下に記載される）上のハードディスク、データロガー１４０または他の型の遠隔データベース１３６を備え得る。
【００４４】
機器１００は、光子検出アセンブリ７０の光子検出デバイス（これには、光電子増倍管、光ダイオードまたは他の光子感応検出器が挙げられる）および他の測定デバイス１０７（これは、その通信ポート１０８を介して、機器１００と連絡し得る）の両方からの信号を受容するように構成され得る。図１２を参照のこと。記載されるように、測定デバイス１０７は、機器１００に対して外部であり得るか、または機器１００の一体化した部分であり得る。このような測定デバイス１０７としては、環境安全性またはＨＡＣＣＰ（危害分析重要管理点（Ｈａｚａｒｄ  Ａｎａｌｙｓｉｓ  ａｎｄ  Ｃｒｉｔｉｃａｌ  Ｃｏｎｔｒｏｌ  Ｐｏｉｎｔ））原則に必須の他のパラメータ（例えば、ｐＨ、温度、溶存気体、伝導率、酸化還元電位および特定のイオンが挙げられるが、これらに限定されない）をモニタリングするための、外部の単一パラメータプローブまたは複数パラメータプローブが挙げられるが、これらに限定されない。１つの例示的な複数パラメータプローブは、組み合わされた温度およびｐＨプローブであり、両方のパラメータについての測定値を同時または別個に提供することが可能である。種々の複数パラメータ（および単一パラメータ）プローブが、現在入手可能であり、かつ広く使用され、そして列挙された多数のパラメータを測定する能力を備え得る。例えば、合わされた温度／ｐＨプローブ、ならびに２つより多いパラメータを測定し得るプローブが、広く使用されている。一例は、現在広く入手可能な複数パラメータプローブであり、これは、ｐＨ、伝導率、温度、圧力および溶存気体を測定し得る。図１２に示される測定デバイス１０７はプローブであるが、多数の他の測定デバイスが、これらを置き換え得る。
【００４５】
上記機器１００の実施形態は、光子検出アセンブリ７０を用いてルミネセンスパラメーター（これは、しばしば、ＨＡＣＣＰ計画においてＣＣＰインジケータとして選択される）を正確で、精密でかつ効率的に測定する能力と、同じ機器１００を使用してこの測定されたルミネセンスパラメーターと組み合わせて他のパラメーターを測定、編集、および解析する能力とを、合わせる。発光に必ずしも関連しないこれらの他のパラメーターは、しばしば、ルミネセンスパラメーターがインジケータとして働く、同じまたは異なるＣＣＰのためのインジケータとして選択される。全てのパラメーターが、ＨＡＣＣＰ計画に重要である。機器１００の組み合わせた機能性は特有であり、かつ多くの有意な利点を提供する。これらの利点は、食品および環境制御の適用についてかなり明白である。ここで、ＨＡＣＣＰベースの標準物質が一般的であり、ルミネセンスがかなり適切であるが、この機器１００の同じまたは等価な改変物もまた、種々の他の設定において使用され、有意な利点を提供し得る。
【００４６】
食品産業について、本発明の性能についての有意な必要性は、ＨＡＣＣＰベースの標準物質または調節と適合するための必要性に、一部起因する。そのために、食品加工業者、または食品製造業者は、ＣＣＰ（重要管理点）を同定しなければならない。ＣＣＰは、いくつかの形態の制御が適用され得、かつ食品安全性の危険が、予防、排除または低減され得る、点、工程、または手順である。食品加工業者は、各ＣＣＰ（例えば、調理プロセスを確認するための時間測定値および温度測定値）に対する種々のパラメーターインジケータを測定し、偏差を同定し、偏差の傾向解析を行い、そして、そのデータを記録して、ＨＡＣＣＰ要件とのコンプライアンスを示す必要があり得る。ＨＡＣＣＰ計画を行う際に、食品加工業者は、現在、多くの単一機能の機器（例えば、温度プローブ、ｐＨメーター、および活性化サンプルのバイオルミネセンスを測定するための、別個の光子計数器）を使用して、孤立した測定値を獲得し、次いで種々のデータ収集シートに対して手動の読み出しを入力するようである。このような収集手順は、退屈で、非効率的でありかつ人為的誤差をかなり受けやすい。このデータ収集に関与するものによる故意の作動または不注意な作動によるデータの整合性の損失という重篤な危険性は、最先端技術とともに存在する。さらに、複数パラメーターの、生産環境の質との関係の試験は、困難である。本発明は、以下に記載される例示的な実施形態によってさらに示されるように、これらの問題を解決する。
【００４７】
本発明の１つの例示的な実施形態において、機器１００は、光電子増倍管（ＰＭＴ）または光ダイオードを有する光子検出アセンブリ７０を備え、かつサンプルが採取される環境の温度およびｐＨを測定するための多パラメータープローブ（すなわち、外部測定デバイス１０７）と連絡し得る。測定されるべき種々のパラメーター（光子数、ｐＨ、および温度）の各々は、ＨＡＣＣＰ計画における同じＣＣＰ（または異なるＣＣＰ）に対する重要なインジケータである。
【００４８】
この例示的な実施形態において、ユーザは、この機器を使用して、サンプルの光子数を測定し、この光子数の測定値を、この機器１００に一時的または永久的に記憶し、次いで、この機器１００および多パラメータープローブ１０７を使用して、適切な環境の温度もしくはｐＨのいずれかまたはそれら両方を読み出しそして記憶し得る。これらの種々のパラメーターの測定値は、同時にまたは連続的に獲得され得る。測定された全ての異なるパラメーターを表わすデータは、同時に表示され得、そして種々のデータ収集シート間も、いかなる他の別個のデータフォーマットも切り替えることなく、機器１００のディスプレイスクリーン１０４上で比較され得る。
【００４９】
好ましい実施形態において、収集されたデータは、その保持されるデータ量を最適にする様式で、データ記憶設備にランダムに割り当てられるが、操作者が目的の任意のパラメーターと無関係な任意のデータ記憶量を割り当てるのに完全な可動性を有する。最も好ましい実施形態において、全てのこのようなデータは、開始データの故意または不注意の改質を除外するような様式で、その指定された位置において保持される。
【００５０】
以前に、ユーザは、サンプルの光子数、次いでその環境のｐＨまたは温度を別個に獲得しそして記録しなければならなかった。これらのデータは、手動で記録されるかまた独立した未関連機器に記録された。その温度データおよびｐＨデータと一緒に、光子数データを表示または解析するために、ユーザは、データ収集シート上にデータを記録する場合、おそらく共通データベースにこのデータを手動でコピーまたは入力することによって、全てを単一フォーマットに取り込まなければならなかった。対照的に、機器１００を用いて、種々のパラメーター（光子数を含む）を表示する全てのデータは、１つのデバイスによって収集、記録および表示されることにより統合される。
【００５１】
例示的な実施形態において、ソフトウェアが、機器１００上に備えられ、統合データ（光子数、温度およびｐＨ）を解析して、ＨＡＣＣＰ計画に適合するために是正処理を必要とするＣＣＰについての臨界限度に到達したか否かが決定される。このソフトウェアは、メモリー１１０に記憶され、そして機器１００のプロセッサ１０６を駆動させる。この臨界限度が、３つの別々のパラメーターの組み合わせ相互作用に感受性である傾向がある場合、測定されたデータは、この機器１００のメモリー１１０に記憶された以前の傾向と合わせて解析され得る。このソフトウェアはまた、関連ＣＣＰまたは他の因子（例えば、データの傾向およびグラフにおけるデータの表示）の迅速な評価を誘導する、ディスプレイスクリーン１０４上のディスプレイフォーマットを作成し得る。これらの性能は、現在、生物発光パラメーターを測定する性能をまた有し得る機器とともには利用不可能である。
【００５２】
上記の例から理解され得るように、機器１００の特定の実施形態は、いくつかの別個であるが関連したパラメーター（これらのパラメーターとしては、光子測定値が挙げられ得る）からの情報を効果的に組み合わせて、ＣＣＰもしくは関連したＣＣＰ群、または任意の他の環境条件もしくはプロセス条件の、より包括的な、統合された効果的な評価を提供する。この機器のさらなる利点は、１つの機器を利用する多パラメーターの測定が、いくつかの測定機器の高コスト製造を排除することである。さらなる利点は、ＨＡＣＣＰ計画に対するＣＣＰコンプライアンスのサンプリング、輸送、転写または解析の間のデータ整合性の破損についての可能性を排除することである。
【００５３】
関連分野の当業者によって理解されるように、本発明の範囲から逸脱することなく、機器１００の上記の例示的な実施形態に対して、種々の等価な改変がなされ得る。ソフトウェアもしくはハードウェアの一部、またはこれらを使用するための関連方法の工程は、除外され得るかまたは異なって組み合わされ得るか、あるいはこれらの種々の等価な改変が、付加され得る。例えば、無数の種々の外部測定デバイス１０７は、温度／ｐＨプローブの代わりに使用され得、このようなデバイスは、溶存気体、伝導率、酸化還元電位、および特定のイオンのようなパラメーターを測定する能力を有するデバイスを含む。この外部測定デバイス１０７は、その用途に依存して選択される。また、統合されたデータは、機器１００内での解析の代わりにかまたはこの解析に加えて、ソフトウェアでの解析のために、通信ポート１０８を介して、（以下に記載される）汎用コンピューターに書き出され得る。
【００５４】
この機器１００の通信ポート１０８は、コンピューター、データ転送デバイス、または包括的データの編集および出力のための他のデータ解析デバイスとの直接接続を提供し得る。図１３は、本発明のいくつかの実施形態とともに使用するための汎用コンピューターのブロック図である。このコンピューターシステム１２０は、中央処理装置（ＣＰＵ）１２２、ディスプレイスクリーン１２４、内部システムメモリー１２６、および入力／出力デバイス１２８を備える。さらに、このコンピューター１２０は、コンピューター読み出し可能な媒体１３２（例えば、ディスケット）を受信および読み出すための受信デバイス１３０を備える。このコンピューター読み出し可能な媒体１３２は、ＣＤ−ＲＯＭディスクとして図１３に示されており、このコンピューターシステム１２０は、他のコンピューター読み出し可能な媒体（フロッピー（登録商標）ディスク、テープ、フラッシュメモリー、システムメモリー１２６、ＤＶＤ−ＲＯＭ、およびハードドライブが挙げられるがこれらに限定されない）を用い得る。この入力／出力１２８は、種々のデバイス（キーボード１３４、またはリモートデータベース、すなわち外部データベース１３６、またはマウス（図示せず）が挙げられる）に接続され得る。さらに、信号を送信および受信するリモートデバイス（例えば、ネットワーク、モデム、データロガー１４０、パーソナルデータデバイス、またはパームパイロット内の他のデバイスであるが、これらに限定されない）もまた、これらの入力／出力１２８を介してコンピューターシステム１２０と連絡し得る。機器１００によって収集されるデータを解析するためにこのコンピューター１２０とともに使用されるソフトウェアは、この機器１００に関して上記されたソフトウェアの性能を備え得る。さらに、機器１００のためのソフトウェアと同様に、このようなソフトウェアはまた、無数の他の機能（例えば、全体のＨＡＣＣＰ計画とのコンプライアンスを評価およびモニタリングする能力を有する機能）、または他の品質管理もしくは安全性プログラム（例えば、統計学的な処理制御プログラム）を提供し得る。このようなソフトウェアは、機器１００の内部であっても、機器１００の外部であっても、内部と外部との組み合わせであってもよい。
【００５５】
図１４は、上で参照される汎用データロガー１４０の単純化したブロック図であり、これを使用して、データを供給し得るか、または種々の供給源（例えば、機器１００、測定デバイス１０７、または汎用コンピューターシステム１２０）からのデータを記録し得る。図１４に示される実施形態は、入力／出力デバイス１４２、アナログデジタル変換器１４４、処理ユニット１４６、ディスプレイ１４８、キーボード１５０、および内部メモリー１５２を備える。
【００５６】
図４および図５は、光子検出アセンブリ７０を備える機器１００の１つの実施形態を示す。この光子検出アセンブリ７０は、スライド可能なシャフト７２、回転可能なメモリーまたは回転可能なシャフト８０、保持部材または保持チャンバ７６、ヒンジカバー７４、シャッター８２、および検出器ハウジング８６（１つの実施形態において、光電子増倍管（ＰＭＴ）または光子検出用の光ダイオードを備える（ＰＭＴは示さず））を備える。
【００５７】
スライド可能シャフト７２は、プローブアセンブリ１０または類似のデバイスを受容するように構成された内部チャンバ８４を有する。活性化プローブアセンブリ１０から発光される光を測定するのが望ましい場合、これは、保持チャンバ７６を介して検出アセンブリ７０に挿入され、このプローブの一部は、このスライド可能なシャフト７２の内部チャンバ８４に延びる。
【００５８】
保持チャンバ７６は、スライド可能なシャフト７２の上部に連結される。ヒンジカバー７４は、この保持チャンバ７６に接続され、かつ「開放」位置と「閉鎖」位置との間で旋回可能である。このヒンジカバー７４は、これが内部チャンバ８４を覆って「閉鎖」位置に調節される場合、光が、このスライド可能なシャフト７２の内部チャンバ８４に侵入するのを防止するように構成される。図４は、このヒンジカバーが開放しているところを示し、図７は、このヒンジカバーが閉鎖しているところを示している。
【００５９】
図６Ａは、スライド可能なシャフト７２に挿入されたプローブアセンブリ１０（ヒンジカバー７４は閉鎖している）を示す。理解され得るように、アセンブリ７０の保持チャンバ７６は、プランジャー４４、プローブハウジング２０、およびプローブアセンブリ１０のキャップ５０を保持するように構成される。この保持チャンバ７６の底部近くで、実質的に水平な保持表面７８が、このチャンバの内壁から内側に延びて、管状突出部３６周囲のプローブハウジング２０の底部表面に対して嵌合する。これは、プローブアセンブリ１０を保持し、その結果、試験管５８、およびこの試験管に含まれる任意のサンプルは、検出アセンブリ７０の底部より上にとどまる。いくつかの実施形態において、図６Ａに示される保持部材（または保持チャンバ７６）は、サンプルを含む試験デバイスの一部ではなくこのサンプルを直接含み得る保持チャンバで置換される。例えば、このサンプル含有チャンバは、保持チャンバ内にあり得るか、またはこの保持チャンバであり得る。
【００６０】
図７および図８において最良に見られるように、スライド可能なシャフト７２は、シャフトハウジング９０に対して垂直方向にスライド可能である。このシャフトハウジング９０およびコイルバネ８８は、このシャフト７２のためのエレベーター機構を備える。このスライド可能なシャフト７２およびシャフトハウジング９０は、垂直方向でかつ同軸上に整列される。このコイルバネ８８の底部端は、このシャフトハウジング９０の上部端に対して設定され、その結果、このコイルバネ８８は、このシャフトハウジング９０の上部から上向きに延びる。このスライド可能なシャフト７２は、コイルバネ８８内に同心円状に含まれ、このコイルバネの上端は、保持チャンバ７６の外部表面の底部に対して嵌合される。スライド可能なシャフト７２、およびこのスライド可能なシャフトに連結された保持チャンバ７０は、図７および図８に示されるように、「上方」位置から「下方」位置まで抑圧され得る。図８に示される「下方」位置にある場合、スライド可能なシャフト７２は、解除可能なロッキング機構（図示せず）を使用して、適所にロックされ得る。このロッキング機構が解除された場合、コイルバネ８８は、スライド可能なシャフトをその「上方」位置まで戻すかまたはその位置に推進する。
【００６１】
図６および図７に示されるように、回転可能なシャフト８０は、スライド可能なシャフト７２の底部部分にて形成される円柱状ポジショナー９４内に同心円状に配置される。この回転可能なシャフト８０の外部表面は、この回転可能なシャフト上の下方向コルクネジまたは螺旋状パターンを形成する溝９２と並列される。ポジショナー９４の内部表面は、この溝内に適合するように構成されたガイド部材を有する。回転可能なシャフト８０は、自由に回転しかつシャフト８２に接続されており、このシャフト８２は、この回転可能なシャフトとともに回転する。スライド可能なシャフト７２が垂直方向に配置される場合、ポジショナー９４もまた垂直方向に配置され、それによって、このポジショナーのガイド部材が、溝に沿って移動される。しかし、ポジショナー９４は、垂直方向にのみに移動するように構成されており、回転せず、それ自体で、回転可能なシャフト８０の回転を引き起こす。同様に、シャフト８２はまた、回転可能なシャフトに連結され、そしてこのシャフトとともに自由に回転するように、回転する。
【００６２】
図４および図９において示される実施形態において、シャッター８２は、円柱形状部材であり、光子検出デバイスを含む検出器ハウジング８６に隣接している。図４に示されるように、スライド可能なシャフト７２が「上方」位置にあり、かつヒンジカバー７４が開放している場合、このシャッター８２は、「閉鎖」位置にあり、このシャッターの開口部９６は、検出器ハウジング８６から離れて面している。このように、光子検出デバイスは、開放した保持チャンバ７６から入る外部光に曝されず、この外部光は、獲得される読み出しの精度および正確さを妨害し得る。その「上方」位置は、サンプル含有デバイスの装填位置である。スライド可能なシャフト７２が下方に配置される場合、シャッターが回転し、その結果、その開口部９６が検出器ハウジング８６に面し、検出器アセンブリ７０における光子供給源（例えば、プローブアセンブリ１０における反応サンプル）を光子検出デバイスによって検出するのを可能にする。図９を参照のこと。この「下方」位置は、サンプル測定位置である。従って、検出アセンブリ７０は、検出器ハウジング８６およびシャッター８２によって部分的に形成される暗所（ｄａｒｋ）チャンバ９１を提供し、これは、読み出し（計数）前または測定値が獲得される前に光度測定的に安定化され、そしてまた、この読み出しの間に、外部光が光子検出デバイスによって検出されるのを防ぐ。図１０を参照のこと。
【００６３】
いくつかの実施形態において、スライド可能なシャフト７２が、シャッター８２が開放される程度まで下方に配置され得る前に、ヒンジカバー７４が閉鎖されなければならないことにもまた、留意のこと。このことは、光子検出デバイスが外部光に曝されないことを確実にする。１つの実施形態において、図１１において最良に見られるように、スライド可能なシャフト７２が「下方」位置にある場合に、カバー７４は、機器ハウジング１０１によって開放されるのを防止される。
【００６４】
使用中、スライド可能なシャフト７２のためのロッキング機構は解放され、スライド可能なシャフトが、コイルバネ８８によって「上方」位置に上昇されるのを可能にし、そして図４に示されるように、ヒンジカバー７４が開放される。活性化サンプルデバイス（例えば、プローブアセンブリ１０）が、検出アセンブリ内に配置され、そしてヒンジカバーが閉鎖される。図６Ａを参照のこと。次いで、スライド可能なシャフト７２は、試験管５８（ここに、反応サンプルが含まれる）の遠位端を、検出または光子検出デバイスの測定経路内に移動させるように抑圧される。同時に、以前に記載されるように、シャッター８２が回転して、反応サンプルを光子検出デバイスに曝すように開放される。図９は、「下方」位置にある検出アセンブリを示しており、光子検出デバイスは、反応サンプルからの光に曝される。理解され得るように、反応サンプルを含む試験管５８の遠位端のみが、シャッター８２の開口部９６を介して曝される。スワブ先端部１４は、開口部９６より上で維持されるが、依然として液体と接触しており、液体レベル９８を有する。さらに、以前に記載されるように、このことは、このスワブ先端部１４からサンプルを吸い出す（ｌｅｅｃｈ）ために、このスワブ先端部１４を液体と接触させて維持しながら、スワブ先端部１４からの読み出し妨害を最小にする。
【００６５】
検出アセンブリ７０の別の実施形態において、ヒンジカバー７４内の、位置決めピン７３、または位置決め部材は、プランジャー４４内の保持キャビティ４７と嵌合して、暗所チャンバ９１内にプローブアセンブリ１０を整列させる。図６Ｂを参照のこと。これは、このプローブを、検出器に非常に密接しかつ正確に近接して再現可能に位置付けるのを補助するが、スワブ先端部１４が直接光測定経路になくても、他の利用可能なシステムと比較して、より正確な高感度の読み出しを可能にする。ヒンジカバー７４の種々の実施形態は、この様式でピンがプランジャー４４と嵌合するのを可能にするように構成され得る。例えば、このヒンジカバー７４は、キャップを下方向に滑動させてピンを保持キャビティ４７内に嵌合する前に、このキャビティ４７の上にこのピンを上昇させるように垂直方向において、独立して、保持チャンバ７６に対してスライド可能であり得る。
【００６６】
以前に議論されたように、いくつかの実施形態において、光子検出アセンブリ７０は、機器１００の機器ハウジング１０１内に備えられる。図１１は、光子検出アセンブリ７０（サンプルの読み出しを行うために、スライド可能なシャフト７２は、「下方」位置にある）を含む機器ハウジング１０１の１つの実施形態を示す。この位置において、ヒンジカバー７４を含む、光子検出アセンブリ７０の上部のみが可視でき、この検出アセンブリの残部は、機器ハウジング内に含まれる。
【００６７】
種々の試薬が、本発明の実施形態とともに使用され得る。いくつかの実施形態は、デバイスの起動の際にペレットの溶解を増強する組成物を有する、乾燥形態の試薬を用いる。また、種々の液体／溶液が、特定の用途および使用される試薬に依存して、本発明の実施形態とともに使用するために選択され得る。試薬および液体の組成は、本発明の範囲を超えている。
【００６８】
図１５は例えば装置１００（図５〜１１）を使用して測定されたＡＴＰデータセットとして収集したＡＴＰデータを保存するＡＴＰデータベーススキーム２００を示す。ＡＴＰデータベーススキーム２００にはＡＴＰ関連データを保存する多くのフィールド、すなわち“フィールド名（Ｆｉｅｌｄ  Ｎａｍｅ）”カラム２０２中の列として指定されるフィールドが含まれる。“構造項（Ｓｔｒｕｃｔｕｒｅ  Ｉｔｅｍ）”カラム２０４は各フィールドについての対応する構造項識別子を特定する。“データタイプ（Ｄａｔａ  Ｔｙｐｅ）”カラム２０６は対応するフィールドに保存されたデータに対する特定のタイプを特定する。例えば、データタイプには整数（Ｉｎｔｅｒｇｅｒ）、データ／時間（Ｄａｔｅ  Ｔｉｍｅ）、文字列（Ｃｈａｒａｃｔｅｒ  Ｓｔｒｉｎｇ）、単一（Ｓｉｎｇｌｅ）（すなわち単一小数点実数）およびロング（Ｌｏｎｇ）（即ち長い整数）が含まれる。“有効範囲（Ｖａｌｉｄ  Ｒａｎｇｅ）”カラム２０８は対応するフィールドに対する有効値の範囲を特定する。“サイズ（Ｓｉｚｅ）”カラム２１０は最大サイズを指定し、可能な場合は対応するフィールドを特定する。例えば、ある文字列フィールドに対する最大サイズは１５文字であり得る。“要求（Ｒｅｑｕｉｒｅｄ）”カラム２１２は対応するカラムへの進入がデータベース記録を作成するために必要かどうかを特定する。
【００６９】
データセットの一部として保存されたものが図示したデータベーススキーム中で特定された１つ以上の値であり、カラム２０２〜２１２は個々のデータベースセットを保存するためのデータベーススキームの明確な理解のためのみ図示されたものであることを当業者は理解し得ると考えられる。
【００７０】
ＡＴＰデータベーススキーム２００には保存されたデータが測定された表面等の試験点の特定を保存するための“試験点（Ｔｅｓｔ  Ｐｏｉｎｔ）”フィールド２１４が含まれる。“日付（Ｄａｔｅ）”フィールド２１６と“時間（Ｔｉｍｅ）”フィールド２１８はそれぞれ、対応する試験点に対するデータと時間を保存する。“コード（Ｃｏｄｅ）”フィールド２２０は対応する試験点に対するコードを保管する。“ゾーン（Ｚｏｎｅ）”フィールド２２２は清潔ゾーン値、例えば０．０〜９．９の間の値を保存する。清潔ゾーンは光の強度の生の計数値（ＲＬＵ）の対数に基づく変換、例えば装置１００で測定された値に対応する。“ＲＬＵ”フィールド２２４は、例えば装置１００（図５〜１１）で測定された実際の光の強度の生の計数値に対応する値を保存する。“Ｐ／Ｗ／Ｆインデックス（ｉｎｄｅｘ）”フィールド２２６はＡＴＰの測定値が許容可能なパラメーターの範囲であるかどうかを指示する合格／警告／不合格インディケーターを保存する。ＡＴＰに対する許容可能パラメーターはユーザーが供給し得るかし得ない上限と下限に基づき、ＡＴＰの測定値が下限より下であれば合格、上限より上であれば不合格とし、上限と下限の間であれば警告を発する。
【００７１】
“生産物（Ｐｒｏｄｕｃｔ）”フィールド２２８はＡＴＰの測定値が例えば特定の食品に属する生産物識別子を保存する。“プラント（Ｐｌａｎｔ）”フィールド２３０はＡＴＰの測定値が属する製造プラントを特定するためのプラント識別子を保存する。“その他（Ｏｔｈｅｒ）”フィールド２３２は様々な、または追加情報、例えばＡＴＰの測定値が得られた試料を特定するための情報を保存する。“警告（Ｗａｒｎｉｎｇ）”フィールド２３４は警告値を保存するが、“不合格（Ｆａｉｌｕｒｅ）”フィールド２３６はＡＴＰの測定値の上限、下限を設定して不合格値を保存する。警告および不合格値は例えば０．０〜９．９の間の値である。
【００７２】
“名前（Ｎａｍｅ）”フィールド２３８は例えば“試験ポイント”フィールド２１４に保存された識別子より人が参照し易い、人が認識し得る識別子等の試験ポイントの名前を保存する。“メモ（Ｍｅｍｏ）”フィールド２４０は例えば試験点および／またはＡＴＰ測定に関する形式自由のテキストエントリー等のメモを保存する。“ＶＰＭ”フィールド２４２は装置１００等の多重変数プラットフォームに対応する多重変数プラットフォーム識別子を保存する。
【００７３】
図１６は例えば装置１００（図５〜１１）を用いて測定した音っデータ等の温度データセットとして収集した温度データを保存するための温度データベーススキーム２５０の一例を示す。温度データベーススキーム２５０は、温度に関連するデータを保存するためのいくつかのフィールドを含み、そのフィールドは“フィールド名（Ｆｉｅｌｄ  ｎａｍｅ）”カラム２５２中の列として特定される。“構造項（Ｓｔｒｕｃｔｕｒｅ  Ｉｔｅｍ）”カラム２５４、“データタイプ（Ｄａｔａ  Ｔｙｐｅ）”カラム２５６、“有効範囲（Ｖａｌｉｄ  Ｒａｎｇｅ）”カラム２５８、“サイズ（Ｓｉｚｅ）”カラム２６０、および“要求（Ｒｅｑｕｉｒｅｄ）”カラム２６２はそれぞれ、図１５のＡＴＰデータベーススキーム２００の類似に名前の、多くの場合同一のカラム対応するフィールドに対する特性を特定するが、簡潔にするためこれ以上議論しない。
【００７４】
温度データスキーム２５０には図１５のＡＴＰデータベーススキーム２００の同様な名前のフィールド中に保存されたものと類似または同一のデータを保存するための“試験ポイント（Ｔｅｓｔ  Ｐｏｉｎｔ）”フィールド２６４、“日付（Ｄａｔｅ）”フィールド２６６、“時間（Ｔｉｍｅ）”フィールド２６８および“コード（Ｃｏｄｅ）”フィールド２７０が含まれる。“温度（Ｔｅｍｐ）”フィールド２７２は例えばプローブ（図１２）等の測定機器１０７を用いて測定された温度等の温度を保存する。
【００７５】
“Ｐ／Ｆ温度（Ｒ／Ｆ  Ｔｅｍｐ）”フィールド２７４は測定された温度が許容パラメーター以内であるかどうかを確定するためのパスまたは不合格識別子を保存する。例えば、ユーザーが供給し得るか供給できない温度に対する許容パラメーターには上限と下限が含まれ、下限より小さいか上限より大きい場合は不合格、上限と下限の間であれば合格とする。
【００７６】
温度データベーススキーム２５０には図１５のＡＴＰデータベース２００の類似の名前のフィールド中に保存されたデータと類似または同一の“製品（Ｐｒｏｄｕｃｔ）”フィールド２７６および“プラント（Ｐｌａｎｔ）”フィールド２８０が含まれる。“最小限度（Ｍｉｎ  Ｌｉｍｉｔ）”フィールド２８２と“最大限度（Ｍａｘ  Ｌｉｍｉｔ）”フィールド２８４はそれぞれ、測定された温度の合格／不合格条件を決めるために用いられる最大および最小温度限度を保存する。“補正（Ｃａｌｉｂｒａｔｉｏｎ）”フィールド２８６は例えば装置１００が補正された最後の時間のデータ、および／または測定の他のセットで測定を正規化する量等の補正値を保存する。“名前（Ｎａｍｅ）”フィールド２８８、“メモ（Ｍｅｍｏ）”フィールド２９０および“ＭＶＰ”フィールド２９２は図１５のＡＴＰデータベース２００の類似の名前のフィールド中に保存されたデータと類似または同一のデータを保存する。
【００７７】
図１７は例えば装置１００（図５〜１１）を用いて測定したｐＨデータ等のｐＨデータセットとして収集したｐＨデータベーススキーム３００を示す。ｐＨデータベーススキーム３００にはｐＨ関連データを保存するためのいくつかのフィールドが含まれ、そのフィールドは“フィールド名（Ｆｉｅｌｄ  Ｎａｍｅ）”カラム３０２内で特定される。“構造項（Ｓｔｒｕｃｔｕｒａｌ  Ｉｔｅｍ）”カラム３０４、“データタイプ（Ｄａｔａ  Ｔｙｐｅ）”カラム３０６、“有効範囲（Ｖａｌｉｄ  Ｒａｎｇｅ）”カラム３０８、“サイズ（Ｓｉｚｅ）”カラム３１０および“要求（Ｒｅｑｕｉｒｅｄ）”カラム３１２のそれぞれが、図１５のＡＴＰデータベーススキーム２００および／または図１５の温度データベーススキーム２５０に類似の、多くの場合同一の類似の名前のカラムに対応するフィールドの特性を特定するが、簡単にするためこれ以上議論しない。
【００７８】
ｐＨデータベーススキーム３００には図１５のＡＴＰデータベーススキーム２００および／または図１５の温度データベーススキーム２５０に類似の名前のフィールド中に保存されたデータに類似または同一のデータを保存するための、“試験ポイント（Ｔｅｓｔ  Ｐｏｉｎｔ）”フィールド３１４、“データ（Ｄａｔａ）”フィールド３１６、“時間（Ｔｉｍｅ）”フィールド３１８および“コード（Ｃｏｄｅ）”フィールド３２０が含まれる。“ｐＨ”フィールド３２２は例えばプローブ（図１２）等のｐＨ測定器を用いて測定されたｐＨ等の測定されたｐＨ値を保存する。
【００７９】
“Ｐ／Ｆ  ｐＨ”フィールド３２４は合格または不合格識別子を保存し、測定されたｐＨが許容パラメーター範囲にあるかどうかを特定する。例えば、ｐＨに対する許容パラメーターにはユーザーが供給し得るか供給し得ない上限と下限が含まれ、下限に等しいかそれ以下、または上限に等しいかそれ以上の場合は測定されたｐＨ値は不合格、上限と下限の間であれば測定されたｐＨ値は合格とする。
【００８０】
ｐＨデータベーススキーム３００には図１５のＡＴＰデータベーススキーム２００および／または図１６の温度データベーススキーム２５０の類似の名前のフィールドに保存されたデータと類似または同一のデータを保存するための“製品（Ｐｒｏｄｕｃｔ）”フィールド３２６、“プラント（Ｐｌａｎｔ）”フィーールド３２８および“その他（Ｏｔｈｅｒ）”フィールド３３０が含まれる。“最小限界（Ｍｉｎ  Ｌｉｍｉｔ）”フィールド３３２と“最大限界(Ｍａｘ  Ｌｉｍｉｔ）”フィールド３３４はそれぞれ、測定されたｐＨの合格／不合格の決定に使用される最小および最大ｐＨ限界を保存する。“補正（Ｃａｌｉｂｒａｔｉｏｎ）”フィールド３３６、“名前（Ｎａｍｅ）”フィールド３３８、“メモ（Ｍｅｍｏ）”フィールド３４０および“ＭＶＰ”フィールド３４２は、図１５のＡＴＰデータベーススキーム２００および／または図１６の温度データベーススキーム２５０の類似の名前のフィールドに保存されたデータと類似または同一のデータを保存する。
【００８１】
図１８はＡＴＰデタセット、温度データセットおよびｐＨデータセットからの各データをＭＶＰデータセットとして保存するための多重変数プラットフォームデータベーススキーム３５０を示す。ＭＶＰデータセットは操作と解析用、およびＡＴＰデータセット、温度データセットおよびｐＨデータセット間のパターンと関係を理解するためのデータの単一ソースセットを作成する。ＭＶＰデータベーススキーム３５０には多重変数データを保存するためのいくつかのフィールドが含まれ、それらのフィールドは“フィールド名”カラム３５２中の列として特定される。“ソース（Ｓｏｕｒｃｅ）”カラム３５４は対応するフィールドに保存された値のソースを特定する。“データタイプ（Ｄａｔａ  Ｔｙｐｅ）”カラム３５６、“有効範囲（Ｖａｌｉｄ  Ｒａｎｇｅ）”カラム３５８、“サイズ（Ｓｉｚｅ）”カラム３６０および“要求（Ｒｅｑｕｉｒｅｄ）”カラム３６２はそれぞれ、図１５のＡＴＰデータベーススキーム２００、図１６の温度データベーススキーム２５０、および／または図１７のｐＨデータベーススキーム３００の類似の名前のカラムに類似の、多くの場合同一の対応するフィールドの特性を特定するが、簡単にするためこれ以上議論しない。
【００８２】
ＭＶＰデータベーススキーム３５０には記録識別子を保存するための“記録ＩＤ（Ｒｅｃｏｒｄ  ＩＤ）”フィールド３６４、および記録のタイプを保存するための“記録タイプ（Ｒｅｃｏｒｄ  Ｔｙｐｅ）”フィールド３６６が含まれる。ＭＶＰデータベーススキーム３５０にはまた、図１５のＡＴＰデータベーススキーム２００、図１６の温度データベーススキーム２５０、および／または図１７のｐＨデータベーススキーム３００の類似の名前のフィールド中に保存されたデータと類似または同一のデータを保存するための“日付（Ｄａｔｅ）”フィールド３６８、“時間（Ｔｉｍｅ）”フィールド３７０、および“コード（Ｃｏｒｄ）”フィールド３７２が含まれる。
【００８３】
“ゾーン（Ｚｏｎｅ）”フィールド３７４は図１５のＡＴＰデータベーススキーム２００の“ゾーン（Ｚｏｎｅ）”フィールド２２２と類似または同一の情報を保存する。“ｐＨ”フィールド３７６は図１７のｐＨデータベーススキーム３００の“ｐＨ”フィールド３２２と類似または同一の情報を保存する。“温度（Ｔｅｍｐ）”フィールド３７８は図１６の温度データベーススキーム２５０の“温度（Ｔｅｍｐ）”フィールド２７２と類似または同一の情報を保存する。“Ｐ／Ｗ／Ｆ  ＡＴＰ”フィールド３８０は図１５のＡＴＰデータベーススキーム２００の“Ｐ／Ｗ／Ｆインデックス（Ｐ／Ｗ／Ｆ  ｉｎｄｅｘ））”フィールド２２６と類似または同一のＡＴＰの合格、警告、不合格指令を保存する。“ＡＴＰ警告”フィールド３８２および“ＡＴＰ不合格（ＡＴＰ  Ｆａｉｌｕｒｅ）”フィールド３８４は、図１５のＡＴＰデータベーススキーム２００の“警告”および“不合格”フィールド２３４および２３６と類似または同一のＡＴＰの警告および不合格限界をそれぞれ保存する。“Ｐ／Ｆ  ｐＨ”フィールド３８６は図１７のｐＨデータベーススキーム３００の類似の名前のフィールド３２４と類似または同一のｐＨ合格／不合格識別子を保存する。“ｐＨ最小（ｐＨ  Ｍｉｎ）”フィールド３８８および“ｐＨ最大（ｐＨ  Ｍａｘ）”フィールド３９０は、図１７のｐＨデータベーススキーム３００の“最小限度（Ｍｉｎ  Ｌｉｍｉｔ）”および“最大限度（Ｍａｘ  Ｌｉｍｉｔ）”フィールド３２２および３３４と類似または同一の最小および最大ｐＨ値を保存する。“Ｐ／Ｆ温度（Ｐ／Ｆ  Ｔｅｍｐ）”フィールド３９２は、図１６の温度データベーススキーム２５０の類似の名前のフィールド２７４と類似または同一の温度の合格／不合格指令を保存する。“温度最小（Ｔｅｍｐ  Ｍｉｎ）”フィールド３９４および“温度最大（Ｔｅｍｐ  Ｍａｘ）”フィールド３９６は、図１６の温度データベーススキーム２５０の“最小限度（Ｍｉｎ  Ｌｉｍｉｔ）”および“最大限度(Ｍａｘ  Ｌｉｍｉｔ）”フィールド２８２および２８４とるいじまたは同一の最小および最大温度限界をせおれぞれ保存する。“ＭＶＰ”フィールド３９８は、図１５〜１７のＡＴＰの“ＭＶＰ”フィールド２４２、２９２、３４２、温度およびｐＨデータベーススキーム２００、２５０、３００それぞれと類似または同一のＭＶＰ識別それぞれ子を保存する。
【００８４】
図１９はそれぞれのデータセット中に保存された清潔ゾーン測定４０８、温度測定４１２、およびｐＨ測定４１０のグラフ４００を示す。装置１００はグラフ４００を、例えば表示スクリーン１０４またはコンピューター読み取り可能なファイルとして作成する。または、外部コンピューターが装置１００または他の測定機器から受け取ったデータからグラフ４００を作成する。グラフはさらに、または代わりに印刷された紙（図示されない）等の“ハードコピー”の形式にもなる。
【００８５】
グラフ４００には清潔ゾーンとｐＨ値を表す第一軸４０２が含まれる。第一軸４０２はグラフ４００の右側に沿って垂直に伸びる様に表されている。グラフ４００には温度値を表す第二軸４０４が含まれ、グラフ４００の左側に沿って垂直に伸びる様に表されている。グラフ４００には日付または時間を表す第三軸４０６が含まれ、第三軸４０６は水平に伸びる様に表されている。軸のその他の目盛および／または配置も、部分的には解析すべき具体的なデータに基づき選択し得ることは、当業者に理解し得ると思われる。例えば、電導度、酸化還元電位、圧力および／または溶存気体等の他のデータも相互に、またはＡＴＰ、温度およびｐＨデータセットと組み合わせてグラフ化し得る。
【００８６】
データセットのそれぞれは、分離シートプログラムを用いて実施された分離シートの独立したシートの形式を取り得る。分離シートプログラムはユーザーにインターフェース、データ処理、グラフ化ツール等の篩い分けおよび解析ツールを供給し得る。別に、または追加として、装置１００または他の機器には顧客仕様ユーザーインターフェースおよび／または顧客仕様データ処理、篩い分けおよび解析ツールが含まれる。分離シートプログラムは装置１００上でホストとして適していることが好ましい。表形式、特にグラフ形式のデータを重ね合わすことにより、異なったデータセット間のパターンを特定する直感的なツールとなる。データの重ね合わせは表形式、例えば分離シートとして表し得る。従って、ユーザーは例えばパターン、および／または食品項目が提供される表面、および食品項目の温度とｐＨ等の試験ポイント間の因果関係を特定することができる。ユーザーはさらに任意の数のフィールドに基づいて篩い分けを採用し、所望のデータのグラフまたは表を作成することができる。特に、グラフ化ツールは軸またはスケールの選択を可能にする。
【００８７】
上記の種々の実施形態は、さらなる実施形態を提供するように組み合わされ得る。本願明細書において参照され、そして／または出願データシートに列挙される、上記米国特許、米国特許出願公開、米国特許出願、外国特許、外国特許出願および非特許文献の全て（米国仮特許出願番号６０／３３８，８４４（２００１年１２月６日出願）、表題「ＳＡＭＰＬＥ  ＣＯＬＬＥＣＴＩＯＮ  ＡＮＤ  ＴＥＳＴＩＮＧ  ＳＹＳＴＥＭ」（代理人番号１５００２６．４５６Ｐ１）、および同第６０／３７５，５７０（２００２年４月２４日出願）、表題「ＳＡＭＰＬＥ  ＣＯＬＬＥＣＴＩＯＮ  ＡＮＤ  ＴＥＳＴＩＮＧ  ＳＹＳＴＥＭ」（代理人番号１５００２６．４５６Ｐ１）が挙げられるがこれに限定されない）が、それら全体が本明細書中で参考として援用される。本発明の局面は、必要ならば、種々の特許、出願および公開の、システム、回路および概念を用いるために改変され、本発明のなおさらなる実施形態を提供し得る。
【００８８】
本発明についての特定の実施形態および実施例が例示目的のために本明細書中に記載されているが、種々の等価な改変が、本発明の精神および範囲から逸脱することなくなされ得、かつ関連分野の当業者によって認識され得る。本発明の明細書中で提供される教示は、記述されるような広範な種々の用途に適用され得る。記載される種々の実施形態は、さらなる実施形態を提供するように組み合わされ得る。記載されるデバイスおよび方法は、いくつかの構成要素もしくは作用を省略するか、他の構成要素もしくは作用を追加するか、またはそれらの構成要素を組み合わせるかもしくは記載される順序と異なる順序でその作用を実行して、本発明の種々の利点を達成し得る。
【００８９】
これらおよび他の変更は、上の詳細な説明を考慮して、本発明に対してなされ得る。一般に、添付の特許請求の範囲内において、使用される用語は、本明細書中に開示される特定の実施形態に本発明を制限するようには解釈されるべきではない。従って、本発明は、この開示によって制限されるのではなく、代わりにその範囲は、添付の特許請求の範囲によって完全に決定される。
【図面の簡単な説明】
【００９０】
【図１Ａ】図１Ａは、本発明の１つの特定の実施形態によるプローブアセンブリの分解斜視図であり、プローブハウジングの内側の接続チューブもまた、点線で示す。
【図１Ｂ】図１Ｂは、図１のプローブアセンブリの斜視図である。
【図１Ｃ】図１Ｃは、試験管が取り外された、図１のプローブアセンブリの斜視図である。
【図２】図２は、プランジャーが「上」位置にある、図１のプローブアセンブリの一部の直径を通る断面図である。
【図３】図３は、プランジャーが「下」位置にある、図１のプローブアセンブリの一部の直径を通る断面図である。
【図４】図４は、スライド可能なシャフトが「上」位置にあり、そして蝶番つきカバーが開いた、本発明の１つの特定の実施形態による検出アセンブリの斜視図である。
【図５】図５は、検出器ハウジングの反対側から見た場合の、図４の検出アセンブリの断面図である。
【図６Ａ】図６Ａは、スライド可能なシャフトが「上」位置にあり、蝶番つきカバーが閉じ、そしてプローブアセンブリが作動し、かつ検出アセンブリに挿入されている、図７の検出アセンブリの断面図である。
【図６Ｂ】図６Ｂは、検出アセンブリの１つの実施形態の一部の直径を通る断面図であり、検出アセンブリの蝶番つきカバーに形成された位置決めピンを示す。
【図７】図７は、スライド可能なシャフトが「上」位置にあり、そして蝶番つきカバーが閉じている、図４の検出アセンブリの斜視図である。
【図８】図８は、スライド可能なシャフトが「下」位置にあり、そして蝶番つきカバーが閉じている、図４の検出アセンブリの斜視図である。
【図９】図９は、スライド可能なシャフトが「下」位置にあり、そして蝶番つきカバーが閉じており、そしてプローブアセンブリが作動され、かつ検出アセンブリに挿入されている、図８の検出アセンブリの断面図である。
【図１０】図１０は、スライド可能なシャフトが「下」位置にあり、そして蝶番つきカバーが閉じている、図４の検出アセンブリの後部斜視図である。
【図１１】図１１は、検出アセンブリのスライド可能なシャフトが「下」位置にある、本発明の１つの特定の実施形態による測定機器の斜視図である。
【図１２】図１２は、測定機器の１つの実施形態を概略的に示す、単純化したブロック図であり、サンプル試験デバイスも光子検出アセンブリも示されていない。
【図１３】図１３は、本発明の種々の実施形態と共に使用するための汎用コンピュータの、単純化したブロック図である。
【図１４】図１４は、本発明のいくつかの実施形態と共に使用するための、汎用データロガーまたはデータ転送デバイスの単純化したブロック図である。
【図１５】図１５は、ＡＴＰデータ記憶用のデータベーススキームの該略図である。
【図１６】図１６は、温度データ記憶用のデータベーススキームの該略図である。
【図１７】図１７は、ｐＨデータ記憶用のデータベーススキームの該略図である。
【図１８】図１８は、ＡＴＰ、温度、およびｐＨデータの組み合わせを記憶するためのデータベーススキームの該略図である。
【図１９】図１９は、本発明を説明する実施形態により採集され提出されたデータのグラフ表示の平面図である。
【図１Ａ】
2005524070.tif 000003
【図１Ｂ】
2005524070.tif 000004
【図１Ｃ】
2005524070.tif 000005
【図２】
2005524070.tif 000006
【図３】
2005524070.tif 000007
【図４】
2005524070.tif 000008
【図５】
2005524070.tif 000009
【図６Ａ】
2005524070.tif 000010
【図６Ｂ】
2005524070.tif 000011
【図７】
2005524070.tif 000012
【図８】
2005524070.tif 000013
【図９】
2005524070.tif 000014
【図１０】
2005524070.tif 000015
【図１１】
2005524070.tif 000016
【図１２】
2005524070.tif 000017
【図１３】
2005524070.tif 000018
【図１４】
2005524070.tif 000019
【図１５】
2005524070.tif 000020
【図１６】
2005524070.tif 000021
【図１７】
2005524070.tif 000022
【図１８】
2005524070.tif 000023
【図１９】
2005524070.tif 000024
【国際調査報告】
2005524070.tif 000025
2005524070.tif 000026
2005524070.tif 000027
2005524070.tif 000028
2005524070.tif 000029